(57)【要約】  映像コンテンツの構成情報および関連情報を適切に表示する。そのために、映像受信装置は、受信部、第１表示部、抽出部、情報生成部、視聴者数検出部、通信部、および表示制御部を備える。抽出部は、映像コンテンツから部分コンテンツを抽出し、情報生成部は、部分コンテンツから構成情報を生成する。視聴者数検出部は、所定の範囲内にいる視聴者の人数を検出し、通信部は、第２表示部を有する携帯端末から送信される識別子を受信する。表示制御部は、識別子によって特定される携帯端末の第２表示部に、選択的に構成情報を表示させることができ、視聴者の人数と識別子の数とにもとづいて、構成情報を第１表示部および第２表示部の少なくとも一方に表示する。
2015004840.tif 000002
【特許請求の範囲】
【請求項１】
映像コンテンツを受信するように構成された受信部と、
前記映像コンテンツを表示するように構成された第１表示部と、
前記映像コンテンツから部分コンテンツを抽出するように構成された抽出部と、
前記部分コンテンツから、前記部分コンテンツに関連する文字列又は画像を含む構成情報を生成するように構成された情報生成部と、
所定の範囲内にいる視聴者の人数を検出するように構成された視聴者数検出部と、
第２表示部を有する単数または複数の携帯端末から前記携帯端末の識別子が送信されたときに、前記識別子を受信するように構成された通信部と、
前記識別子によって特定される前記携帯端末に前記識別子に基づき選択的に前記構成情報を送信して前記第２表示部に前記構成情報を表示させることが可能であり、前記視聴者の人数と前記識別子の数とに基づいて、前記構成情報を前記第１表示部および前記第２表示部の少なくとも一方に表示する、ように構成された表示制御部と、
を備える映像受信装置。
【請求項２】
前記表示制御部は、
前記識別子の数が１以上のときは、前記識別子によって特定される前記携帯端末の前記第２表示部に前記構成情報を表示する、ように構成された、
請求項１に記載の映像受信装置。
【請求項３】
前記表示制御部は、
前記視聴者の人数が前記識別子の数よりも多いときは、前記第１表示部に前記構成情報を表示する、ように構成された
請求項１に記載の映像受信装置。
【請求項４】
前記表示制御部は、
前記識別子の数が１以上、かつ前記視聴者の人数が前記識別子の数よりも多いときは、前記第１表示部、および前記識別子によって特定される前記携帯端末の前記第２表示部のそれぞれに前記構成情報を表示する、ように構成された
請求項１に記載の映像受信装置。
【請求項５】
前記表示制御部は、
前記視聴者の人数と前記識別子の数とが互いに等しいときは、前記第１表示部に前記構成情報を表示せず、前記識別子によって特定される前記携帯端末の前記第２表示部に前記構成情報を表示する、ように構成された
請求項１に記載の映像受信装置。
【請求項６】
前記表示制御部は、
前記識別子の数が１以上のときは、前記識別子によって特定される前記携帯端末の前記第２表示部に前記構成情報を表示し、
前記視聴者の人数が前記識別子の数よりも多いときは、前記第１表示部に前記構成情報を表示し、
前記視聴者の人数と前記識別子の数とが互いに等しいときは、前記第１表示部に前記構成情報を表示せず、前記識別子によって特定される前記携帯端末の前記第２表示部に前記構成情報を表示する、ように構成された
請求項１に記載の映像受信装置。
【請求項７】
前記通信部は、
通信回線を介してデータの送受信が可能であり、前記第２表示部上で選択された前記構成情報に関連する情報を前記通信回線を介して取得する、ように構成され、
前記表示制御部は、
前記通信部が取得した前記情報を、前記選択が行われた前記携帯端末の前記第２表示部に表示する、ように構成された
請求項２に記載の映像受信装置。
【請求項８】
前記通信部は、
通信回線を介してデータの送受信が可能であり、前記第１表示部上で選択された前記構成情報に関連する情報を前記通信回線を介して取得する、ように構成され、
前記表示制御部は、
前記通信部が取得した前記情報を前記第１表示部に表示する、ように構成された
請求項３に記載の映像受信装置。
【請求項９】
前記表示制御部は、
前記識別子の数が１以上のとき、前記識別子によって特定される前記携帯端末のそれぞれから個別情報を取得し、前記個別情報にもとづき前記構成情報を１以上選択し、前記選択した前記構成情報を、前記個別情報の取得元である前記携帯端末の前記第２表示部に表示する、ように構成された
請求項２に記載の映像受信装置。
【請求項１０】
前記表示制御部は、
前記識別子の数が２以上のとき、前記識別子によって特定される前記携帯端末のそれぞれから個別情報を取得し、前記個別情報にもとづき前記構成情報を１以上選択し、前記選択された構成情報から互いに共通する前記構成情報を特定し、前記特定された構成情報を前記第１表示部に表示する、ように構成された
請求項２に記載の映像受信装置。
【請求項１１】
第１表示部を有する映像受信装置における情報表示方法において、
映像コンテンツを受信するステップと、
前記映像コンテンツを前記第１表示部に表示するステップと、
前記映像コンテンツから部分コンテンツを抽出するステップと、
前記部分コンテンツから、前記部分コンテンツに関連する文字列又は画像を含む構成情報を生成するステップと、
所定の範囲内にいる視聴者の人数を検出するステップと、
第２表示部を有する単数または複数の携帯端末から前記携帯端末の識別子が送信されたときに、前記識別子を受信するステップと、
前記視聴者の人数と前記識別子の数とに基づいて、前記構成情報を、前記第１表示部、および前記識別子によって特定される前記携帯端末の前記第２表示部、の少なくとも一方に表示するステップと、
を備える情報表示方法。
【請求項１２】
映像コンテンツを表示するように構成された第１表示部を有する映像受信装置と、第２表示部を有する単数または複数の携帯端末と、を備えた映像受信システムであって、
前記映像受信装置は、
前記映像コンテンツを受信するように構成された受信部と、
前記映像コンテンツから部分コンテンツを抽出するように構成された抽出部と、
前記部分コンテンツから、前記部分コンテンツに関連する文字列又は画像を含む構成情報を生成するように構成された情報生成部と、
所定の範囲内にいる視聴者の人数を検出するように構成された視聴者数検出部と、
前記携帯端末から前記携帯端末の識別子が送信されたときに、前記識別子を受信するように構成された通信部と、
前記識別子によって特定される前記携帯端末に前記識別子に基づき選択的に前記構成情報を送信して前記第２表示部に前記構成情報を表示させることが可能であり、前記視聴者の人数と前記識別子の数とに基づいて、前記構成情報を前記第１表示部および前記第２表示部の少なくとも一方に表示する、ように構成された表示制御部と、を備え、
前記携帯端末は、
前記識別子を前記映像受信装置に送信し、前記映像受信装置から送信される前記構成情報を受信して前記第２表示部に表示する、ように構成された、
映像受信システム。
【発明の詳細な説明】
【技術分野】
【０００１】
本開示は、映像に関連する情報を映像とともに表示する映像受信装置に関する。
【背景技術】
【０００２】
特許文献１は、録画された映像の中から所望のシーンを検索して視聴可能な映像再生方法を開示する。この映像再生方法では、映像放送から取得する映像情報に対して文字認識を行うことにより、検索可能なインデックスを作成し、映像用インデックス作成検索システムに蓄積する。視聴者は、インデックスを検索することで、録画された映像の中から所望のシーンを検索することができる。
【先行技術文献】
【特許文献】
【０００３】
【特許文献１】特開２００６−３４０１３６号公報
【発明の概要】
【０００４】
本開示は、映像コンテンツに関する構成情報および関連情報を適切に表示するのに有効な、映像受信装置、情報表示方法、および映像受信システムを提供する。
【０００５】
本開示の映像受信装置は、受信部、第１表示部、抽出部、情報生成部、視聴者数検出部、通信部、および表示制御部を備える。受信部は、映像コンテンツを受信するように構成されている。第１表示部は、受信部で受信された映像コンテンツを表示するように構成されている。抽出部は、その映像コンテンツから部分コンテンツを抽出するように構成されている。情報生成部は、その部分コンテンツから、その部分コンテンツに関連する文字列又は画像を含む構成情報を生成するように構成されている。視聴者数検出部は、所定の範囲内にいる視聴者の人数を検出するように構成されている。通信部は、第２表示部を有する単数または複数の携帯端末から携帯端末の識別子が送信されたときに、その識別子を受信するように構成されている。表示制御部は、その識別子によって特定される携帯端末に、その識別子にもとづき選択的に構成情報を送信して第２表示部に構成情報を表示させることが可能であり、視聴者の人数と識別子の数とにもとづいて、構成情報を第１表示部および第２表示部の少なくとも一方に表示する、ように構成されている。
【図面の簡単な説明】
【０００６】
【図１】図１は、実施の形態１における映像受信システムの構成の一例を概略的に示す図である。
【図２】図２は、実施の形態１における映像受信装置の構成を概略的に示すブロック図である。
【図３】図３は、実施の形態１における映像受信装置の動作を説明するフローチャートである。
【図４Ａ】図４Ａは、実施の形態１における映像受信装置の第１表示部に表示される映像コンテンツの一例を示す図である。
【図４Ｂ】図４Ｂは、実施の形態１における映像受信装置で抽出される部分コンテンツの一例を概略的に示す図である。
【図５】図５は、実施の形態１における映像受信装置で生成される構成情報の一例を概略的に示す図である。
【図６】図６は、実施の形態１における映像受信装置の表示制御部の動作を説明するフローチャートである。
【図７Ａ】図７Ａは、実施の形態１における視聴者数とＩＤ数とが互いに等しいときの状況の一例を概略的に示す図である。
【図７Ｂ】図７Ｂは、実施の形態１における視聴者数とＩＤ数とが互いに等しいときの状況の他の一例を概略的に示す図である。
【図８Ａ】図８Ａは、実施の形態１において視聴者数とＩＤ数とが互いに等しいときに映像受信装置の第１表示部に表示される映像コンテンツの一例を示す図である。
【図８Ｂ】図８Ｂは、実施の形態１において視聴者数とＩＤ数とが互いに等しいときに携帯端末の第２表示部に表示される構成情報の一例を示す図である。
【図８Ｃ】図８Ｃは、実施の形態１において視聴者数とＩＤ数とが互いに等しいときに携帯端末の第２表示部に表示される関連情報の一例を示す図である。
【図９Ａ】図９Ａは、実施の形態１におけるＩＤ数が０のときの状況の一例を概略的に示す図である。
【図９Ｂ】図９Ｂは、実施の形態１におけるＩＤ数が０のときの状況の他の一例を概略的に示す図である。
【図１０Ａ】図１０Ａは、実施の形態１においてＩＤ数が０のときに映像受信装置の第１表示部に表示される構成情報の一例を示す図である。
【図１０Ｂ】図１０Ｂは、実施の形態１においてＩＤ数が０のときに映像受信装置の第１表示部に表示される関連情報の一例を示す図である。
【図１１Ａ】図１１Ａは、実施の形態１における携帯端末を保持している視聴者と携帯端末を保持していない視聴者とが混在しているときの状況の一例を概略的に示す図である。
【図１１Ｂ】図１１Ｂは、実施の形態１における携帯端末を保持している視聴者と携帯端末を保持していない視聴者とが混在しているときの状況の他の一例を概略的に示す図である。
【図１２Ａ】図１２Ａは、実施の形態１において携帯端末を保持している視聴者と携帯端末を保持していない視聴者とが混在しているときに映像受信装置の第１表示部に表示される構成情報の一例を示す図である。
【図１２Ｂ】図１２Ｂは、実施の形態１において携帯端末を保持している視聴者と携帯端末を保持していない視聴者とが混在しているときに映像受信装置の第１表示部に表示される関連情報の一例を示す図である。
【図１２Ｃ】図１２Ｃは、実施の形態１において携帯端末を保持している視聴者と携帯端末を保持していない視聴者とが混在しているときに携帯端末の第２表示部に表示される構成情報の一例を示す図である。
【図１２Ｄ】図１２Ｄは、実施の形態１において携帯端末を保持している視聴者と携帯端末を保持していない視聴者とが混在しているときに携帯端末の第２表示部に表示される関連情報の一例を示す図である。
【図１３Ａ】図１３Ａは、他の実施の形態において複数の携帯端末から収集された個別情報にもとづき映像受信装置の第１表示部に表示される構成情報の一例を示す図である。
【図１３Ｂ】図１３Ｂは、他の実施の形態において携帯端末から収集された個別情報にもとづき携帯端末の第２表示部に表示される構成情報の一例を示す図である。
【図１３Ｃ】図１３Ｃは、他の実施の形態において携帯端末から収集された個別情報にもとづき携帯端末の第２表示部に表示される構成情報の一例を示す図である。
【図１４】図１４は、他の実施の形態における映像受信装置の構成の一例を概略的に示すブロック図である。
【発明を実施するための形態】
【０００７】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００８】
なお、添付図面および以下の説明は、当業者が本開示を十分に理解するために提供されるのであって、これらにより特許請求の範囲に記載の主題を限定することは意図されていない。
【０００９】
（実施の形態１）
以下、図１〜図１４を用いて、実施の形態１を説明する。
【００１０】
［１−１．構成］
図１は、実施の形態１における映像受信システム１００の構成の一例を概略的に示す図である。本実施の形態における映像受信システム１００は、映像受信装置１０と単数または複数の携帯端末２０を有する。図１には１台の携帯端末２０を示しているが、便宜的に１台の携帯端末２０を示しているに過ぎない。図１に示すように、映像受信装置１０および携帯端末２０は、通信回線（以下、「ネットワーク」と記す）１６に接続され、互いにデータの送受信が可能である。
【００１１】
ネットワーク１６は、有線、または無線、あるいはその双方が混在して構成されている。ネットワーク１６は、例えばインターネットであるが、イントラネットや商業回線、あるいはその他の通信回線（メトロネットワーク、企業内ネットワーク、家庭内ネットワーク等）であってもよく、それらが混在していてもよい。
【００１２】
検索装置１８は、ネットワーク１６に接続されたサーバ装置であり、画像検索サービスを提供するＷｅｂサイトである。検索装置１８は、ネットワーク１６を介して送信されてくる画像データを受信すると、その画像データに対応するデータ（氏名、地名、店名、名称、略称、等）を検索し、そのデータを検索結果として返信するように構成されている。この画像検索サービスは公知のものでかまわないので、詳細な説明は省略する。また、検索装置１８は、画像検索に加え、通常の言葉による検索（ワード検索）を行うように構成されていてもよい。また、検索装置１８は、後述する構成情報が映像受信装置１０から送信されてきたときに、その構成情報に関する広告や宣伝等の情報を返信するように構成されていてもよい。
【００１３】
携帯端末２０は、例えばスマートフォンであり、ネットワーク１６を介して映像受信装置１０とデータの送受信ができるように構成されている。なお、携帯端末２０は、例えば携帯電話やタブレット端末等であってもよい。携帯端末２０は、映像を表示する表示部を有し、ネットワーク１６を介して映像受信装置１０とデータの送受信ができ、視聴者が片手または両手で保持して操作することが可能な情報処理装置であればよい。
【００１４】
映像受信装置１０は、例えばテレビジョン受像機であり、放送信号や外部から入力される映像信号にもとづく映像を表示部に表示するように構成されている。映像受信装置１０は、ネットワーク１６を介して携帯端末２０および検索装置１８とデータの送受信ができ、検索装置１８を利用した検索（画像検索およびワード検索）が可能である。
【００１５】
なお、映像受信システム１００においては、携帯端末２０が０台の状態も許容される。携帯端末２０が０台の状態とは、例えば、携帯端末２０がネットワーク１６に１台も接続されていない、または映像受信装置１０と通信を行う携帯端末２０が１台も無い、または映像受信装置１０と携帯端末２０との間で通信が行われていない、といった状態のことである。携帯端末２０が０台のとき、映像受信装置１０は単体で動作する。これらの動作の詳細は後述する。
【００１６】
図２は、実施の形態１における映像受信装置１０の構成を概略的に示すブロック図である。
【００１７】
なお、図２には、本実施の形態に示す動作に関連する主なブロックを示しており、他の動作に関する機能やブロックは省略している。これは、本実施の形態で説明する動作を分かりやすく示すためである。また、図２に示す各ブロックは、それぞれが独立した回路で構成されていてもよく、あるいは、図２に示すブロックの１つまたは複数を実現するように作成されたプログラムをプロセッサーで実行する構成であってもよい。
【００１８】
映像受信装置１０は、受信部１０１、抽出部１０２、情報生成部１０３、通信部１０４、視聴者数検出部１０５、表示制御部１０６、および第１表示部１０７を備える。
【００１９】
受信部１０１は、映像コンテンツを受信し、受信した映像コンテンツを抽出部１０２に出力するように構成されている。映像コンテンツには、放送局が電波や専用ケーブルによって放送するコンテンツ、ＩＰ（Ｉｎｔｅｒｎｅｔ  Ｐｒｏｔｏｃｏｌ）放送等により通信回線を介して配信されるコンテンツ、半導体記憶媒体や光（磁気）記憶媒体等の記録メディアに記録されたコンテンツ、等が含まれる。映像コンテンツは映像（映像信号）で構成されるが、映像コンテンツには、音声（音声信号）やその映像コンテンツ自体に関する情報（メタ情報）が含まれていてもよい。また、受信部１０１には、放送局が送信する放送信号を受信するためのアンテナや受信回路（図示せず）が含まれていてもよく、ＩＰ放送を受信するための通信インタフェース（図示せず）が含まれていてもよい。
【００２０】
抽出部１０２は、受信部１０１から出力される映像コンテンツを受け取ると、その映像コンテンツを解析して部分コンテンツを抽出し、抽出した部分コンテンツを情報生成部１０３に出力するように構成されている。部分コンテンツは、映像コンテンツの一部である。部分コンテンツには、例えば、映像コンテンツに含まれる画像内において人物や物品等の物体（オブジェクト）が表示された領域の画像（オブジェクト画像）、映像コンテンツに含まれる画像内において文字（文字列）が表示された領域の画像（文字領域画像）、映像コンテンツに含まれる音声、映像コンテンツに含まれるメタ情報、等が含まれる。
【００２１】
情報生成部１０３は、抽出部１０２から出力される部分コンテンツを受け取ると、その部分コンテンツから構成情報を生成し、生成した構成情報を表示制御部１０６に出力するように構成されている。構成情報とは、部分コンテンツを示す情報であって、文字（文字列）又は画像を含む情報のことである。
【００２２】
具体的には、部分コンテンツがオブジェクト画像であれば、構成情報は、オブジェクト画像そのもの、または、そのオブジェクト画像に含まれる人物や物品の名前（または略称）、である。部分コンテンツが文字領域画像であれば、構成情報は、その文字領域画像に表示される文字（文字列）である。部分コンテンツが音声であれば、構成情報は、その音声から変換された文字（文字列）である。
【００２３】
部分コンテンツがオブジェクト画像のとき、情報生成部１０３は、画像検索を行う検索装置１８を利用して構成情報を生成することができる。情報生成部１０３は、オブジェクト画像の画像データを、通信部１０４およびネットワーク１６を介して検索装置１８に送信する。検索装置１８は、受信した画像データにもとづき画像検索を行い、その検索結果（名前や略称等）をネットワーク１６を介して映像受信装置１０に返信する。この画像検索は公知の技術でよい。情報生成部１０３は、検索装置１８から返信されてくる検索結果を、ネットワーク１６および通信部１０４を介して受信する。
【００２４】
このように、情報生成部１０３は、検索装置１８と、通信部１０４およびネットワーク１６を介して、オブジェクト画像の画像データおよびその検索結果をやりとりすることで、オブジェクト画像を、そのオブジェクト画像に含まれる人物や物品の名前に変換して、そのオブジェクト画像に対応する構成情報（人物や物品の名前または略称）を生成することができる。
【００２５】
部分コンテンツが文字領域画像のとき、情報生成部１０３は、公知の文字認識技術および公知の形態素解析（Ｍｏｒｐｈｏｌｏｇｉｃａｌ  Ａｎａｌｙｓｉｓ）技術を利用して、構成情報を生成することができる。情報生成部１０３は、例えば、その文字領域画像に含まれる文章を文字認識技術を用いて抽出し、その文章を形態素解析技術を用いて文字（文字列）に分解する。こうして情報生成部１０３は、その文字領域画像に対応する構成情報（文字または文字列）を生成することができる。
【００２６】
部分コンテンツが音声のとき、情報生成部１０３は、公知の音声認識技術および公知の形態素解析技術を利用して、構成情報を生成することができる。情報生成部１０３は、例えば、その音声に含まれる文章を音声認識技術を用いて抽出し、その文章を形態素解析技術を用いて文字（文字列）に分解する。こうして情報生成部１０３は、その音声に対応する構成情報（文字または文字列）を生成することができる。
【００２７】
通信部１０４は、通信用のインターフェースであり、ネットワーク１６を介して携帯端末２０および検索装置１８とデータの送受信ができるように構成されている。また、通信部１０４は、映像受信装置１０の無線操作に用いられるリモートコントロール装置（以下、「リモコン」と記す。図示せず）からの赤外線通信も受信できるように構成されている。
【００２８】
通信部１０４は、情報生成部１０３が検索装置１８と通信する際に使用される。通信部１０４は、情報生成部１０３からオブジェクト画像の画像データが出力されると、その画像データを受け取ってネットワーク１６に送信できる形式のデータに変換し、そのデータをネットワーク１６を介して検索装置１８に送信する。検索装置１８から、そのデータに関する検索結果がネットワーク１６を介して送信されてくると、その検索結果を受信して情報生成部１０３に出力する。
【００２９】
また、通信部１０４は、表示制御部１０６が携帯端末２０と通信する際にも使用される。通信部１０４は、携帯端末２０から識別子（Ｉｄｅｎｔｉｆｉｃａｔｉｏｎ。以下、「ＩＤ」とも記す）が送信されると、そのＩＤを受信して表示制御部１０６に出力する。このＩＤは、携帯端末２０に付与された固有のデータであり、複数の携帯端末２０を互いに区別するためのデータである。通信部１０４は、表示制御部１０６から構成情報が出力されると、その構成情報を受け取って携帯端末２０に送信する。この携帯端末２０は、通信部１０４が事前に受信したＩＤによって特定される携帯端末であり、視聴者が所持（使用）する携帯端末である。携帯端末２０は、この構成情報を受信して第２表示部２０２に表示する。
【００３０】
また、通信部１０４は、表示制御部１０６が検索装置１８および携帯端末２０と通信する際にも使用される。通信部１０４は、携帯端末２０から構成情報が送信されると、その構成情報を受信して表示制御部１０６に出力する。携帯端末２０から送信される構成情報とは、携帯端末２０の第２表示部２０２に表示される複数の構成情報のうちの、視聴者によって選択された構成情報、のことである。通信部１０４は、表示制御部１０６から出力される指示にもとづき、受信したその構成情報をネットワーク１６に送信できる形式のデータに変換し、そのデータをネットワーク１６を介して検索装置１８に送信する。検索装置１８から、そのデータ（構成情報）に関する情報がネットワーク１６を介して送信されてくると、その情報を受信して表示制御部１０６に出力する。
【００３１】
なお、検索装置１８から送信される情報（構成情報に関する情報）とは、例えば、その構成情報に関する検索を検索装置１８が行って取得した検索結果や、その構成情報に関する広告・宣伝、等である。以下、これらの情報を、「関連情報」と記す。通信部１０４は、表示制御部１０６から出力される指示にもとづき、表示制御部１０６から出力される関連情報を受け取って携帯端末２０に送信する。この携帯端末２０は、通信部１０４が事前に受信したＩＤによって特定される携帯端末であり、構成情報の送信元の携帯端末である。携帯端末２０は、この関連情報を受信して第２表示部２０２に表示する。
【００３２】
また、通信部１０４は、表示制御部１０６が検索装置１８およびリモコンと通信する際にも使用される。通信部１０４は、表示制御部１０６から構成情報が出力されると、その構成情報を受け取る。表示制御部１０６から出力される構成情報とは、映像受信装置１０の第１表示部１０７に表示される複数の構成情報のうちの、視聴者によって選択された構成情報、のことである。この選択は、例えば、リモコンによって行われてもよく、あるいは、第１表示部１０７にタッチパネルを付設し、そのタッチパネルに視聴者が触れることで行われてもよい。
【００３３】
通信部１０４は、表示制御部１０６から出力される指示にもとづき、その構成情報をネットワーク１６に送信できる形式のデータに変換し、そのデータをネットワーク１６を介して検索装置１８に送信する。検索装置１８から、そのデータ（構成情報）に関する関連情報がネットワーク１６を介して送信されてくると、その関連情報を受信して表示制御部１０６に出力する。そして、表示制御部１０６は、その関連情報を第１表示部１０７に表示する。
【００３４】
視聴者数検出部１０５は、映像受信装置１０の第１表示部１０７に表示される映像コンテンツを視聴する視聴者の人数を計数して表示制御部１０６に出力するように構成されている。視聴者数検出部１０５は、例えば、デジタルカメラ等に用いられている撮像装置（図示せず）を備え、その撮像装置で映像受信装置１０の周囲を連続的または断続的に撮影し、所定の範囲内にいる人物を、公知の顔検出や人物検出等の技術を用いて検出する。そして、検出した人物を視聴者として計数する。なお、本実施の形態では、映像受信装置１０を一般的なリビングで使用することを想定しており、所定の範囲は、例えば、映像受信装置１０から約５ｍまでの、第１表示部１０７を視聴可能な範囲とする。しかし、本実施の形態は何らこの構成に限定されるものではない。例えば、映像受信装置１０が公共の場所で使用されることを想定し、所定の範囲内で所定時間（例えば、１分間）以上立ち止まっている人を視聴者として検出し、映像受信装置１０の前を通り過ぎる人を視聴者として検出しないように構成してもよい。あるいは、公知の顔検出の技術を利用して、映像受信装置１０に背を向けている人物を視聴者として検出しない構成としてもよい。また、所定の範囲も、何ら上述した数値に限定されるものではなく、第１表示部１０７の大きさに応じて最適に設定することが望ましい。
【００３５】
表示制御部１０６は、視聴者数検出部１０５が計数した視聴者の人数と、通信部１０４が受信した携帯端末２０のＩＤの数（すなわち、映像受信装置１０と通信中の携帯端末２０の台数）とにもとづき、第１表示部１０７および第２表示部２０２を制御するように構成されている。具体的には、表示制御部１０６は、視聴者数検出部１０５が計数した視聴者の人数と、通信部１０４が受信した携帯端末２０のＩＤの数とにもとづき、上述の構成情報を、第１表示部１０７および第２表示部２０２の少なくとも一方に表示する。これらの動作の詳細は後述する。
【００３６】
なお、携帯端末２０は、表示制御部１０６から通信部１０４およびネットワーク１６を介して送信される構成情報や関連情報を携帯端末２０の通信部（図示せず）で受信し、携帯端末２０の表示制御部（図示せず）は、受信された構成情報や関連情報にもとづく画像を第２表示部２０２に表示する、ように構成されている。この動作は、見かけ上は、表示制御部１０６が第２表示部２０２に構成情報や関連情報を表示させている、と見なすことができる。したがって、本実施の形態では、「映像受信装置１０の表示制御部１０６が、構成情報や関連情報を携帯端末２０の第２表示部２０２に表示する」、といった表現を用いることがあるが、この実質的な動作は上述の通りである。
【００３７】
また、表示制御部１０６は、携帯端末２０から送信されてくる構成情報を通信部１０４を介して受信すると、その構成情報を、ネットワーク１６に送信できる形式のデータに変換してネットワーク１６を介して検索装置１８に送信するように、通信部１０４に指示する。携帯端末２０から送信される構成情報とは、上述したように、携帯端末２０の第２表示部２０２に表示される複数の構成情報のうちの、視聴者によって選択された構成情報、のことである。表示制御部１０６は、検索装置１８からそのデータ（構成情報）に関する関連情報がネットワーク１６を介して送信されてくると、その関連情報を通信部１０４を介して受信する。そして、表示制御部１０６は、受信したその関連情報をネットワーク１６を介して携帯端末２０に送信するように、通信部１０４に指示する。この携帯端末２０は、通信部１０４が事前に受信したＩＤによって特定される携帯端末であり、構成情報の送信元の携帯端末である。携帯端末２０は、この関連情報を受信して第２表示部２０２に表示する。
【００３８】
また、表示制御部１０６は、視聴者によって映像受信装置１０の第１表示部１０７に表示される複数の構成情報のうちの１つが選択されると、その選択された構成情報を特定する。この選択は、例えば、リモコンによって行われてもよく、あるいは、第１表示部１０７にタッチパネルを付設し、そのタッチパネルに視聴者が触れることで行われてもよい。そして、表示制御部１０６は、特定した構成情報を通信部１０４に出力し、その構成情報を、ネットワーク１６に送信できる形式のデータに変換してネットワーク１６を介して検索装置１８に送信するように、通信部１０４に指示する。表示制御部１０６は、検索装置１８からそのデータ（構成情報）に関する関連情報がネットワーク１６を介して送信されてくると、その関連情報を通信部１０４を介して受信する。そして、表示制御部１０６は、受信したその関連情報を第１表示部１０７に表示する。
【００３９】
第１表示部１０７は、表示制御部１０６によって制御され、受信部１０１が受信した映像コンテンツや、表示制御部１０６から出力される構成情報および関連情報、等にもとづく映像を表示するように構成されている。第１表示部１０７は、例えばＬＣＤ（Ｌｉｑｕｉｄ  Ｃｒｙｓｔａｌ  Ｄｉｓｐｌａｙ）であるが、本実施の形態は何らこの構成に限定されるものではなく、第１表示部１０７は、ＰＤＰ（Ｐｌａｓｍａ  Ｄｉｓｐｌａｙ  Ｐａｎｅｌ）やＯＬＥＤ（Ｏｒｇａｎｉｃ  Ｅｌｅｃｔｒｏ  Ｌｕｍｉｎｅｓｃｅｎｃｅ  Ｄｉｓｐｌａｙ）等であってもかまわない。また、第１表示部１０７に、視聴者の操作を受け付けるタッチパネルが付設されていてもよい。
【００４０】
携帯端末２０は、受信部（図示せず）、表示制御部（図示せず）、第２表示部２０２を備える。
【００４１】
通信部は、通信用のインターフェースであり、ネットワーク１６を介して映像受信装置１０とデータの送受信ができるように構成されている。
【００４２】
表示制御部は、第２表示部２０２を制御して、第２表示部２０２に画像や文字を表示するように構成されている。
【００４３】
第２表示部２０２は、表示制御部によって制御され、画像や文字を表示するように構成されている。第２表示部２０２は、例えばＬＣＤであるが、ＯＬＥＤ等であってもかまわない。また、第２表示部２０２に、視聴者の操作を受け付けるタッチパネルが付設されていてもよい。
【００４４】
携帯端末２０は、携帯端末２０を保持する視聴者の指示により、自身のＩＤを通信部およびネットワーク１６を介して映像受信装置１０に送信する。映像受信装置１０は、このＩＤを受信して携帯端末２０の存在を認識し、これにより映像受信装置１０と携帯端末２０との間で通信が開始される。
【００４５】
なお、本実施の形態は何らこの構成に限定されるものではない。例えば、携帯端末２０において、映像受信装置１０と通信を行うためのソフトウエアが視聴者の指示により動作を開始したときに、そのソフトウエアの動作の１つとして、携帯端末２０から映像受信装置１０にＩＤを自動で送信する、ように携帯端末２０を構成してもよい。あるいは、映像受信装置１０から携帯端末２０にＩＤ要求信号を送信し、そのＩＤ要求信号に応じて携帯端末２０から映像受信装置１０にＩＤを送信するように映像受信装置１０および携帯端末２０を構成してもよい。
【００４６】
映像受信装置１０から構成情報が送信されると、携帯端末２０は、ネットワーク１６および通信部を介してその構成情報を受信する。そして、表示制御部は、その構成情報を第２表示部２０２に表示する。
【００４７】
第２表示部２０２に表示される複数の構成情報のうちの１つが視聴者によって選択されると、その構成情報は、通信部およびネットワーク１６を介して映像受信装置１０に送信される。この選択は、例えば、携帯端末２０に設けられた操作ボタン（図示せず）によって行われてもよく、あるいは、第２表示部２０２にタッチパネルを付設し、そのタッチパネルに視聴者が触れることで行われてもよい。
【００４８】
携帯端末２０から送信された構成情報に関する関連情報が映像受信装置１０から送信されると、携帯端末２０は、ネットワーク１６および通信部１０４を介してその関連情報を受信する。そして、表示制御部１０６は、その関連情報を第２表示部２０２に表示する。
【００４９】
［１−２．動作］
以上のように構成された映像受信システム１００について、その動作を説明する。
【００５０】
図３は、実施の形態１における映像受信装置１０の動作を説明するフローチャートである。図３のフローチャートには、映像受信装置１０において、映像コンテンツが受信されてから構成情報および関連情報が表示されるまでの動作を概略的に示す。
【００５１】
映像受信装置１０の受信部１０１は、映像コンテンツを受信する（ステップＳ２１）。
【００５２】
映像受信装置１０の抽出部１０２は、受信部１０１が受信した映像コンテンツを解析することで、映像コンテンツから部分コンテンツを抽出する（ステップＳ２２）。
【００５３】
ここで、部分コンテンツの抽出について図４Ａ、図４Ｂを用いて説明する。
【００５４】
図４Ａは、実施の形態１における映像受信装置１０の第１表示部１０７に表示される映像コンテンツの一例を示す図である。
【００５５】
図４Ｂは、実施の形態１における映像受信装置１０で抽出される部分コンテンツの一例を概略的に示す図である。
【００５６】
図４Ａには、一例として、映像コンテンツが野球中継であり、その１場面である１野球選手をクローズアップした画像３０が第１表示部１０７に表示されている例を示す。
【００５７】
図４Ｂには、一例として、図４Ａに示した画像３０から４つの部分コンテンツを抽出する例を示す。図４Ｂに示す４つの部分コンテンツは、この野球選手の顔を抽出したオブジェクト画像の部分コンテンツ３０１、この野球の大会名等を抽出した文字領域画像の部分コンテンツ３０２、この野球選手の名前等を抽出した文字領域画像の部分コンテンツ３０３、この野球選手の特徴等を抽出した文字領域画像の部分コンテンツ３０４、である。なお、画像３０には、これら４つの部分コンテンツが含まれている、と言い換えることもできる。
【００５８】
以下、抽出部１０２が、画像３０からこれらの部分コンテンツを抽出する方法を説明する。
【００５９】
抽出部１０２は、画像３０から、オブジェクト（人物や物品等）を含む部分（オブジェクト画像）、及び文字（文字列）を含む部分（文字領域画像）を部分コンテンツとして抽出する。
【００６０】
ここで、オブジェクトを含む画像とは、オブジェクトと、そのオブジェクトの近傍の画像とを含む画像のことである。文字（文字列）を含む画像とは、文字（文字列）と、その文字（文字列）の近傍の画像とを含む画像のことである。
【００６１】
人物（顔）の画像の抽出には、公知の顔認識技術を用いることができる。顔認識技術は、例えば、画像の中から、目、鼻、囗、輪郭、等の顔の特徴的な部分を検出することで顔を認識する技術である。顔の特徴的な部分は、例えば、公知のテンプレートマッチング等により検出することができる。部分コンテンツ３０１は、例えばこの技術を用いて抽出される。物品の画像の抽出も、同様に、公知のテンプレートマッチング等により行うことができる。
【００６２】
文字（文字列）の抽出には、公知の文字領域検出技術を用いることができる。文字領域検出技術は、例えば、画像を構成する画素の色を２値化する（例えば、しきい値より明るい色を白とし、しきい値より暗い色を黒とする）ことにより、文字（文字列）を含む領域と、それ以外の領域とを分離する技術である。部分コンテンツ３０２、３０３、３０４は、例えばこの技術を用いて抽出される。
【００６３】
このようにして、抽出部１０２は、画像３０に含まれる部分コンテンツ３０１、３０２、３０３、３０４、の４つの部分コンテンツを抽出する。
【００６４】
なお、映像コンテンツが音声やメタ情報を含むとき、抽出部１０２は、その映像コンテンツから音声やメタ情報を部分コンテンツとして抽出することもできる。これらの動作の説明は省略する。
【００６５】
図３に戻ってフローチャートを説明する。
【００６６】
次に、情報生成部１０３は、抽出部１０２で抽出された部分コンテンツから構成情報を生成する（ステップＳ２３）。構成情報は、部分コンテンツを示す情報であって、文字（文字列）又は画像を含む情報である。情報生成部１０３は、構成情報を生成する際、必要に応じて検索装置１８を利用することができる。
【００６７】
以下、構成情報について説明する。
【００６８】
図５は、実施の形態１における映像受信装置１０で生成される構成情報の一例を概略的に示す図である。図５には、図４Ｂに一例を示した４つの部分コンテンツのそれぞれに関する構成情報を、各部分コンテンツに対応させて示した対応図４０を示している。
【００６９】
情報生成部１０３は、抽出部１０２が抽出した部分コンテンツから構成情報を生成する。構成情報は、部分コンテンツを示す情報であって、文字（文字列）または画像を含む情報である。
【００７０】
例えば、情報生成部１０３は、部分コンテンツ３０１から抽出したオブジェクト画像４０１を、部分コンテンツ３０１の構成情報とする。なお、部分コンテンツ３０１とオブジェクト画像４０１とは実質的に等しい。また、情報生成部１０３は、検索装置１８を利用してオブジェクト画像４０１の画像検索を行い、検索装置１８から画像検索結果として取得した文字列４０２（例えば、オブジェクト画像４０１が表す野球選手の名前）を、部分コンテンツ３０１の構成情報に加える。なお、画像検索によって取得される文字列は、複数であってもよい。また、オブジェクト画像４０１と文字列４０２とを統合し、１つの構成情報として扱ってもよい。
【００７１】
次に、情報生成部１０３は、部分コンテンツ３０２から、部分コンテンツ３０２に含まれている文字列４０３（例えば、この野球の大会名等）を抽出し、部分コンテンツ３０２の構成情報とする。
【００７２】
同様に、情報生成部１０３は、部分コンテンツ３０３から、部分コンテンツ３０３に含まれている文字列４０４（例えば、この野球選手の背番号、名前、年齢等）を抽出し、部分コンテンツ３０３の構成情報とする。
【００７３】
同様に、情報生成部１０３は、部分コンテンツ３０４から、部分コンテンツ３０４に含まれている文字列４０５（例えば、この野球選手の特徴等）を抽出し、部分コンテンツ３０４の構成情報とする。
【００７４】
図３に戻ってフローチャートを説明する。
【００７５】
次に、表示制御部１０６は、視聴者数検出部１０５が計数した視聴者の人数と、通信部１０４が受信した携帯端末２０のＩＤの数（すなわち、映像受信装置１０と通信中の携帯端末２０の台数）とにもとづき、第１表示部１０７および第２表示部２０２を制御する（ステップＳ２４）。
【００７６】
ステップＳ２４では、表示制御部１０６は、視聴者の人数とＩＤの数とにもとづき、構成情報（例えば、対応図４０に示した構成情報）を、第１表示部１０７および第２表示部２０２のどちらに表示するのか、または双方に表示するのかを判断する。そして、その判断結果にもとづき、その構成情報を第１表示部１０７および第２表示部２０２の少なくとも一方に表示する。また、表示制御部１０６は、視聴者に選択された構成情報に関連する関連情報を検索装置１８から取得し、取得した関連情報を、その選択がなされた装置の表示部（第１表示部１０７または第２表示部２０２）に表示する。
【００７７】
次に、映像受信装置１０は、動作停止指示の有無を判断する（ステップＳ２５）。ステップＳ２５では、映像受信装置１０は、視聴者に動作停止を指示されたと判断すれば（Ｙｅｓ）、映像受信装置１０の動作を停止する。映像受信装置１０は、動作停止は指示されていないと判断すれば（Ｎｏ）、視聴者に動作停止を指示されるまで、上述した一連の動作を繰り返す。
【００７８】
次に、ステップＳ２４の詳細を説明する。
【００７９】
図６は、実施の形態１における映像受信装置１０の表示制御部１０６の動作を説明するフローチャートである。図６は、ステップＳ２４の詳細を説明するフローチャートであり、図６には、表示制御部１０６が、構成情報または関連情報を、第１表示部１０７および第２表示部２０２の一方または双方に表示するときの動作を示している。
【００８０】
視聴者数検出部１０５は、映像受信装置１０から所定の範囲内にいる人物を、第１表示部１０７に表示中の映像コンテンツを視聴している視聴者と見なし、その人数を計数する。以下、計数された人数を「視聴者数」と記す。視聴者数検出部１０５は、計数した視聴者数を表示制御部１０６に出力する（ステップＳ５１）。
【００８１】
通信部１０４は、単数または複数の携帯端末２０から送信されてきたＩＤを受信して表示制御部１０６に出力する。表示制御部１０６は、このＩＤの数を計数する（ステップＳ５２）。このＩＤの数（以下、「ＩＤ数」と記す）は、映像受信装置１０と通信を行っている携帯端末２０の台数を実質的に表す。
【００８２】
表示制御部１０６は、視聴者数とＩＤ数とが互いに等しいか否かを判断する（ステップＳ５３）。
【００８３】
ステップＳ５３において、視聴者数とＩＤ数とは互いに等しい、と判断されれば（ＹＥＳ）、表示制御部１０６は、ステップＳ２３で生成された構成情報を携帯端末２０の第２表示部２０２に表示する（ステップＳ５４）。なお、この携帯端末２０は、通信部１０４が事前に受信したＩＤによって特定される単数または複数の携帯端末２０である。また、このとき、表示制御部１０６は、ステップＳ２３で生成された構成情報を第１表示部１０７には表示しない。
【００８４】
なお、本実施の形態において、「視聴者数とＩＤ数とは互いに等しい」ということは、「第１表示部１０７に表示中の映像コンテンツを視聴している単数または複数の視聴者の全員が、映像受信装置１０と通信中の携帯端末２０を保持している」ということを実質的に表している。
【００８５】
次に、表示制御部１０６は、携帯端末２０から構成情報が送信されると、その構成情報を通信部１０４を介して受信し、その構成情報に関する関連情報を検索装置１８から取得する。そして、表示制御部１０６は、取得した関連情報を、その構成情報の送信元の携帯端末２０に通信部１０４を介して送信し、その携帯端末２０の第２表示部２０２に表示する（ステップＳ５５）。なお、携帯端末２０から送信される構成情報とは、携帯端末２０の第２表示部２０２に表示される複数の構成情報のうちの、視聴者によって選択された構成情報、のことである。
【００８６】
ステップＳ５４、Ｓ５５の動作の一例を図面を用いて説明する。
【００８７】
図７Ａは、実施の形態１における視聴者数とＩＤ数とが互いに等しいときの状況の一例を概略的に示す図である。
【００８８】
図７Ｂは、実施の形態１における視聴者数とＩＤ数とが互いに等しいときの状況の他の一例を概略的に示す図である。
【００８９】
図７Ａ、７Ｂは、第１表示部１０７に表示中の映像コンテンツを視聴している全ての視聴者が、映像受信装置１０と通信中の携帯端末２０を保持しているときの例を示す図である。
【００９０】
図７Ａに示す例では、１人の視聴者５０１が映像受信装置１０の第１表示部１０７に表示中の映像コンテンツを視聴しており、その視聴者５０１は映像受信装置１０と通信中の携帯端末２０６を保持している。このとき、視聴者数とＩＤ数とはともに１であり互いに等しい。
【００９１】
図７Ｂに示す例では、３人の視聴者５０１、５０２、５０３が第１表示部１０７に表示中の映像コンテンツを視聴しており、視聴者５０１は映像受信装置１０と通信中の携帯端末２０６を保持し、視聴者５０２は映像受信装置１０と通信中の携帯端末２０５を保持し、視聴者５０３は映像受信装置１０と通信中の携帯端末２０７を保持している。このとき、視聴者数とＩＤ数とはともに３であり互いに等しい。
【００９２】
なお、携帯端末２０５、２０６、２０７は、携帯端末２０と実質的に等しいものとする。
【００９３】
図８Ａは、実施の形態１において視聴者数とＩＤ数とが互いに等しいときに映像受信装置１０の第１表示部１０７に表示される映像コンテンツの一例を示す図である。
【００９４】
図８Ｂは、実施の形態１において視聴者数とＩＤ数とが互いに等しいときに携帯端末２０６の第２表示部６０２に表示される構成情報の一例を示す図である。
【００９５】
図８Ｃは、実施の形態１において視聴者数とＩＤ数とが互いに等しいときに携帯端末２０６の第２表示部６０２に表示される関連情報の一例を示す図である。
【００９６】
なお、図８Ａには、一例として、映像コンテンツが野球中継であり、その１場面である１野球選手をクローズアップした画像６０１が第１表示部１０７に表示されている例を示す。なお、画像６０１と、図４Ａに示した画像３０は実質的に等しい。また、以下の説明は、この画像が第１表示部１０７に表示されているものとして行う。
【００９７】
例えば、図７Ａや図７Ｂに一例を示したように、視聴者の全員が、映像受信装置１０と通信中の携帯端末２０を保持していれば、これらの携帯端末２０の第２表示部２０２に構成情報を表示することで、映像受信装置１０は、第１表示部１０７に構成情報を表示せずとも、視聴者の全員に構成情報を提示することができる。
【００９８】
そこで、本実施の形態では、表示制御部１０６は、視聴者数とＩＤ数とが互いに等しいとき、通信部１０４が事前に受信したＩＤによって特定される全ての携帯端末２０（図７Ａに示す例では携帯端末２０６、図７Ｂに示す例では携帯端末２０５、２０６、２０７）の第２表示部２０２のそれぞれに、ステップＳ２３で生成された構成情報を表示する（ステップＳ５４）。図８Ｂには、携帯端末２０６の第２表示部６０２に、ステップＳ２３で生成された構成情報を表示する例を示す。本実施の形態では、図８Ｂに一例として示すような構成情報が、映像受信装置１０と通信中の全ての携帯端末２０の第２表示部２０２に表示される。なお、第２表示部６０２は、第２表示部２０２と実質的に等しいものとする。
【００９９】
このとき、図８Ａに一例を示すように、表示制御部１０６は、ステップＳ２３で生成された構成情報を第１表示部１０７には表示しない。これは、その構成情報を第１表示部１０７に表示しなくても、第１表示部１０７に表示中の映像コンテンツを視聴している視聴者の全員が映像受信装置１０と通信中の携帯端末２０を保持しており、その携帯端末２０を通して全ての視聴者にその構成情報を提示することができるため、である。
【０１００】
したがって、視聴者は、ステップＳ２３で生成された構成情報を手元の携帯端末２０で確認しつつ、第１表示部１０７に表示中の映像コンテンツを、その構成情報によって視認性が損なわれない状態で視聴することができる。
【０１０１】
次に、携帯端末２０を保持している視聴者が、第２表示部２０２に表示中の複数の構成情報のうちの１つを選択すると、その選択された構成情報が携帯端末２０から映像受信装置１０に送信される。
【０１０２】
映像受信装置１０は、携帯端末２０から送信されてくる構成情報を受信し、その構成情報に関する関連情報を検索装置１８から取得する。そして、映像受信装置１０は、取得した関連情報を、その構成情報の送信元である携帯端末２０に送信する。構成情報の送信元である携帯端末２０は、その関連情報を受信して第２表示部２０２に表示する（ステップＳ５５）。
【０１０３】
図８Ｃには、携帯端末２０６を保持している視聴者５０１が、第２表示部６０２に表示中の複数の構成情報のうちの１つを選択し、その選択された構成情報に関する関連情報が、携帯端末２０６の第２表示部６０２に表示される例を示す。本実施の形態では、図８Ｃに一例として示すような関連情報が、その関連情報の元となる構成情報の選択が行われた携帯端末２０の第２表示部２０２に表示される。なお、図８Ｃには、第２表示部６０２の全面に関連情報が表示されている例を示しているが、構成情報と関連情報とを同時に第２表示部２０２に表示してもよい。
【０１０４】
このとき、表示制御部１０６は、この関連情報を第１表示部１０７には表示しない。また、表示制御部１０６は、構成情報の選択が行われた携帯端末２０の第２表示部２０２だけに、その構成情報の関連情報を表示し、他の携帯端末２０の第２表示部２０２にはその関連情報を表示しない。
【０１０５】
したがって、視聴者は、自身が選択した構成情報に関する関連情報を手元の携帯端末２０で確認しつつ、第１表示部１０７に表示中の映像コンテンツを、関連情報によって視認性が損なわれない状態で視聴することができる。また、他の視聴者が選択した構成情報の関連情報は、自身の手元の携帯端末２０の第２表示部２０２には表示されないので、自身の所望しない関連情報が第２表示部２０２に表示される、といったことを防止できる。これにより、例えば、自身の所望しない関連情報によって第２表示部２０２に表示される構成情報の表示量が低減されることも防止できる。
【０１０６】
なお、携帯端末２０は、構成情報を映像受信装置１０に送信するとき、自身のＩＤを併せて送信してもよい。これにより、映像受信装置１０は、どの携帯端末２０から構成情報が送信されてきたのかを把握することができる。そして、映像受信装置１０は、その構成情報の関連情報を送信するときには、そのＩＤによって特定される携帯端末２０に送信すればよい。
【０１０７】
なお、視聴者が構成情報を選択するとき、携帯端末２０から映像受信装置１０に送信される情報は、選択された構成情報そのものでなくてもかまわない。携帯端末２０から映像受信装置１０に送信される情報は、選択された構成情報を特定するための情報（例えば、構成情報のヘッダー等）であってもよい。
【０１０８】
図６に戻ってフローチャートを説明する。
【０１０９】
ステップＳ５３において、視聴者数とＩＤ数とは互いに異なる、と判断されれば（ＮＯ）、表示制御部１０６は、ＩＤ数が０か否（すなわち１以上の整数）かを判断する（ステップＳ５６）。
【０１１０】
なお、本実施の形態において、「ＩＤ数は０である」ということは、「第１表示部１０７に表示中の映像コンテンツを視聴している全ての視聴者が携帯端末２０を所持していないか、または携帯端末２０を所持している視聴者がいたとしてもその携帯端末２０は映像受信装置１０と通信していない」ということを実質的に表している。
【０１１１】
ステップＳ５６において、ＩＤ数は０である、と判断されれば（ＹＥＳ）、表示制御部１０６は、ステップＳ２３で生成された構成情報を映像受信装置１０の第１表示部１０７に表示する（ステップＳ５７）。
【０１１２】
第１表示部１０７に表示された複数の構成情報のうちの１つが視聴者によって選択されると、表示制御部１０６は、その選択された構成情報に関する関連情報を検索装置１８から取得して第１表示部１０７に表示する（ステップＳ５８）。
【０１１３】
ステップＳ５７、Ｓ５８の動作の一例を図面を用いて説明する。
【０１１４】
図９Ａは、実施の形態１におけるＩＤ数が０のときの状況の一例を概略的に示す図である。
【０１１５】
図９Ｂは、実施の形態１におけるＩＤ数が０のときの状況の他の一例を概略的に示す図である。
【０１１６】
図９Ａ、９Ｂは、第１表示部１０７に表示中の映像コンテンツを視聴している全ての視聴者が、携帯端末２０を所持していないときの例を示す図である。
【０１１７】
図９Ａに示す例では、１人の視聴者５１１が映像受信装置１０に表示されている映像コンテンツを視聴しており、その視聴者５１１は携帯端末２０を所持していない。なお、視聴者５１１が映像受信装置１０と通信していない携帯端末２０を所持していれば（図示せず）、その状況は図９Ａに示す状況に実質的に等しい。
【０１１８】
図９Ｂに示す例では、３人の視聴者５１１、５１２、５１３が映像受信装置１０に表示されている映像コンテンツを視聴しており、視聴者５１１、５１２、５１３の全員が携帯端末２０を所持していない。なお、視聴者５１１、５１２、５１３の一部または全員が映像受信装置１０と通信していない携帯端末２０を所持していれば（図示せず）、その状況は図９Ｂに示す状況に実質的に等しい。
【０１１９】
図１０Ａは、実施の形態１においてＩＤ数が０のときに映像受信装置１０の第１表示部１０７に表示される構成情報の一例を示す図である。
【０１２０】
図１０Ｂは、実施の形態１においてＩＤ数が０のときに映像受信装置１０の第１表示部１０７に表示される関連情報の一例を示す図である。
【０１２１】
例えば、図９Ａや図９Ｂに一例を示すように、視聴者の全員が、携帯端末２０を所持していなければ、表示制御部１０６は、ステップＳ２３で生成された構成情報をその視聴者に提示するために、図１０Ａに一例を示すように、その構成情報を提示するための画像７０１を第１表示部１０７に表示する（ステップＳ５７）。
【０１２２】
次に、第１表示部１０７に表示中の映像コンテンツを視聴している視聴者が、第１表示部１０７に表示中の複数の構成情報のうちの１つを選択すると、表示制御部１０６は、その選択された構成情報に関する関連情報を検索装置１８から取得する。そして、その選択を行った視聴者にその関連情報を提示するために、表示制御部１０６は、図１０Ｂに一例を示すように、取得した関連情報を提示するための画像７１１を第１表示部１０７に表示中の画像７０１内に表示する（ステップＳ５８）。
【０１２３】
図６に戻ってフローチャートを説明する。
【０１２４】
ステップＳ５６において、ＩＤ数は０ではない（すわなち、ＩＤ数は１以上である）、と判断されれば（ＮＯ）、表示制御部１０６は、ステップＳ２３で生成された構成情報を携帯端末２０の第２表示部２０２に表示する。なお、この携帯端末２０は、通信部１０４が事前に受信したＩＤによって特定される単数または複数の携帯端末２０である。併せて、表示制御部１０６は、その構成情報を映像受信装置１０の第１表示部１０７にも表示する（ステップＳ５９）。
【０１２５】
なお、本実施の形態では、ステップＳ５６で「ＩＤ数は０ではない」と判断されるのは、「第１表示部１０７に表示中の映像コンテンツを視聴している視聴者は２人以上であり、映像受信装置１０と通信中の携帯端末２０を保持している視聴者と、携帯端末２０を保持していない（または映像受信装置１０と通信していない携帯端末２０を所持している）視聴者とが混在している」という状況のときである。したがって、携帯端末２０を保持していない視聴者に、ステップＳ２３で生成された構成情報を提示するために、ステップＳ５９では、表示制御部１０６は、その構成情報を映像受信装置１０の第１表示部１０７にも表示する。
【０１２６】
なお、本実施の形態では、視聴者数がＩＤ数未満となる状況は想定していない。仮に、視聴者数がＩＤ数未満となる状況が発生したときには、表示制御部１０６は、視聴者数検出部１０５が視聴者数を正確に検出できていない、と判断して、視聴者数がＩＤ数に等しくなるように、または、視聴者数がＩＤ数よりも大きくなるように、視聴者数を補正する。このとき、どのように視聴者数を補正するかは、映像受信装置１０の仕様等に応じて適切に設定すればよい。
【０１２７】
次に、視聴者によって構成情報の選択がなされると、表示制御部１０６は、その選択が、携帯端末２０の第２表示部２０２で行われたのか、映像受信装置１０の第１表示部１０７で行われたのかを判断する（ステップＳ６０）。
【０１２８】
第１表示部１０７に表示された複数の構成情報のうちの１つが視聴者によって選択されたときは、表示制御部１０６は、ステップＳ６０において、構成情報の選択は映像受信装置１０の第１表示部１０７で行われたと判断する（ＮＯ）。表示制御部１０６は、その選択された構成情報に関する関連情報を検索装置１８から取得して第１表示部１０７に表示する（ステップＳ６１）。
【０１２９】
なお、第１表示部１０７に表示された複数の構成情報から１つの構成情報を視聴者が選択するときには、例えば、視聴者によるリモコン操作や、あるいは、第１表示部１０７にタッチパネルが付設されていれば、そのタッチパネルに視聴者が触れる、といった操作が行われる。したがって、表示制御部１０６は、それらの操作を検出することで、構成情報の選択は映像受信装置１０の第１表示部１０７で行われた、と判断することができる。
【０１３０】
携帯端末２０から構成情報が送信されたときは、表示制御部１０６は、その構成情報を通信部１０４を介して受信する。これにより表示制御部１０６は、ステップＳ６０において、構成情報の選択は携帯端末２０の第２表示部２０２で行われたと判断する（ＹＥＳ）。携帯端末２０から送信される構成情報とは、携帯端末２０の第２表示部２０２に表示される複数の構成情報のうちの、視聴者によって選択された構成情報、のことである。
【０１３１】
なお、本実施の形態は何らこの構成に限定されない。例えば、携帯端末２０が、視聴者に選択された構成情報とともに自身のＩＤを送信するように構成されていれば、表示制御部１０６は、そのＩＤを検出することで、構成情報の選択は携帯端末２０の第２表示部２０２で行われた、と判断するように動作してもよい。
【０１３２】
表示制御部１０６は、その構成情報に関する関連情報を検索装置１８から取得する。そして、取得した関連情報を、その構成情報の送信元の携帯端末２０に通信部１０４を介して送信し、その構成情報を、その携帯端末２０の第２表示部２０２に表示する（ステップＳ６２）。
【０１３３】
ステップＳ５９、Ｓ６１、Ｓ６２の動作の一例を図面を用いて説明する。
【０１３４】
図１１Ａは、実施の形態１における携帯端末２０を保持している視聴者と携帯端末２０を保持していない視聴者とが混在しているときの状況の一例を概略的に示す図である。
【０１３５】
図１１Ｂは、実施の形態１における携帯端末２０を保持している視聴者と携帯端末２０を保持していない視聴者とが混在しているときの状況の他の一例を概略的に示す図である。
【０１３６】
図１１Ａに示す例では、２人の視聴者５０４、５１４が映像受信装置１０の第１表示部１０７に表示中の映像コンテンツを視聴しており、一方の視聴者５０４は映像受信装置１０と通信中の携帯端末２０８を保持しているが、他方の視聴者５１４は携帯端末２０を保持していない（または、視聴者５１４は映像受信装置１０と通信していない携帯端末２０を所持している）。
【０１３７】
図１１Ｂに示す例では、３人の視聴者５０４、５０５、５１４が第１表示部１０７に表示中の映像コンテンツを視聴しており、視聴者５０４は映像受信装置１０と通信中の携帯端末２０８を保持し、視聴者５０５は映像受信装置１０と通信中の携帯端末２０９を保持しているが、視聴者５１４は携帯端末２０を保持していない（または、視聴者５１４は、映像受信装置１０と通信していない携帯端末２０を所持している）。
【０１３８】
なお、携帯端末２０８、２０９は携帯端末２０と実質的に等しいものとする。
【０１３９】
図１２Ａは、実施の形態１において携帯端末２０を保持している視聴者と携帯端末２０を保持していない視聴者とが混在しているときに映像受信装置１０の第１表示部１０７に表示される構成情報の一例を示す図である。
【０１４０】
図１２Ｂは、実施の形態１において携帯端末２０を保持している視聴者と携帯端末２０を保持していない視聴者とが混在しているときに映像受信装置１０の第１表示部１０７に表示される関連情報の一例を示す図である。
【０１４１】
例えば、図１１Ａや図１１Ｂに一例を示したように、複数の視聴者の一部が、携帯端末２０を保持していなければ、表示制御部１０６は、ステップＳ２３で生成された構成情報をその視聴者に提示するために、図１２Ａに一例を示すように、その構成情報を提示するための画像８０１を第１表示部１０７に表示する（ステップＳ５９）。
【０１４２】
次に、第１表示部１０７に表示中の映像コンテンツを視聴している視聴者（例えば、視聴者５１４）が、第１表示部１０７に表示中の複数の構成情報のうちの１つを選択すると、表示制御部１０６は、その選択された構成情報に関する関連情報を検索装置１８から取得する。そして、その選択を行った視聴者（例えば、視聴者５１４）にその関連情報を提示するために、表示制御部１０６は、図１２Ｂに一例を示すように、取得した関連情報を提示するための画像８１１を第１表示部１０７に表示中の画像８０１内に表示する（ステップＳ６１）。
【０１４３】
このとき、表示制御部１０６は、第１表示部１０７に表示する関連情報を第２表示部２０２には表示しない。
【０１４４】
図１２Ｃは、実施の形態１において携帯端末２０を保持している視聴者と携帯端末２０を保持していない視聴者とが混在しているときに携帯端末２０８の第２表示部８０２に表示される構成情報の一例を示す図である。
【０１４５】
図１２Ｄは、実施の形態１において携帯端末２０を保持している視聴者と携帯端末２０を保持していない視聴者とが混在しているときに携帯端末２０８の第２表示部８０２に表示される関連情報の一例を示す図である。
【０１４６】
例えば、図１１Ａや図１１Ｂに一例を示したように、複数の視聴者の一部が、映像受信装置１０と通信中の携帯端末２０を保持していれば、これらの携帯端末２０の第２表示部２０２に構成情報を表示することで、その視聴者に構成情報を提示することができる。このとき、図１２Ｂに一例を示した第１表示部１０７に表示される関連情報を、第２表示部２０２には表示しないように表示制御部１０６が動作することで、その携帯端末２０を保持している視聴者には、自身が所望しない関連情報が第２表示部２０２に表示されることを防止することができる。これにより、例えば、自身の所望しない関連情報によって第２表示部２０２に表示される構成情報の表示量が低減されることも防止できる。
【０１４７】
このように、本実施の形態では、表示制御部１０６は、携帯端末２０を保持している視聴者と携帯端末２０を保持していない視聴者とが混在しているとき、通信部１０４が事前に受信したＩＤによって特定される全ての携帯端末２０（図１１Ａに示す例では携帯端末２０８、図１１Ｂに示す例では携帯端末２０８、２０９）の第２表示部２０２のそれぞれに、ステップＳ２３で生成された構成情報を表示する（ステップＳ５９）。ただし、表示制御部１０６は、ステップＳ６１で第１表示部１０７に表示する関連情報を、第２表示部２０２には表示しない。
【０１４８】
図１２Ｃには、携帯端末２０８の第２表示部８０２に、ステップＳ２３で生成された構成情報を表示する例を示す。本実施の形態では、図１２Ｃに一例として示すような構成情報が、映像受信装置１０と通信中の全ての携帯端末２０の第２表示部２０２に表示される。なお、第２表示部８０２は、第２表示部２０２と実質的に等しいものとする。
【０１４９】
次に、携帯端末２０を保持している視聴者が、第２表示部２０２に表示中の複数の構成情報のうちの１つを選択すると、その選択された構成情報が携帯端末２０から映像受信装置１０に送信される。
【０１５０】
映像受信装置１０は、携帯端末２０から送信されてくる構成情報を受信し、その構成情報に関する関連情報を検索装置１８から取得する。そして、映像受信装置１０は、取得した関連情報を、その構成情報の送信元である携帯端末２０に送信する。構成情報の送信元である携帯端末２０は、その関連情報を受信して第２表示部２０２に表示する（ステップＳ６２）。
【０１５１】
図１２Ｄには、携帯端末２０８を保持している視聴者５０４が、第２表示部８０２に表示中の複数の構成情報のうちの１つを選択し、その選択された構成情報に関する関連情報が、携帯端末２０８の第２表示部８０２に表示される例を示す。本実施の形態では、図１２Ｄに一例として示すような関連情報が、その関連情報の元となる構成情報の選択が行われた携帯端末２０の第２表示部２０２に表示される。なお、図１２Ｄには、第２表示部８０２の全面に関連情報が表示されている例を示しているが、構成情報と関連情報とを同時に第２表示部２０２に表示してもよい。
【０１５２】
このとき、表示制御部１０６は、この関連情報を第１表示部１０７には表示しない。また、表示制御部１０６は、構成情報の選択が行われた携帯端末２０の第２表示部２０２だけにその構成情報の関連情報を表示し、他の携帯端末２０の第２表示部２０２にはその関連情報を表示しない。
【０１５３】
したがって、携帯端末２０を保持する視聴者は、自身が選択した構成情報に関する関連情報を手元の携帯端末２０で確認することができ、また、他の視聴者に関しては、自身が所望しない関連情報が第１表示部１０７または第２表示部２０２に表示されることを防止することができる。これにより、他の視聴者に関しては、例えば、第１表示部１０７または第２表示部２０２に表示される構成情報の表示量が、自身の所望しない関連情報により低減されることも防止できる。
【０１５４】
なお、携帯端末２０は、構成情報を映像受信装置１０に送信するとき、自身のＩＤを併せて送信してもよい。これにより、映像受信装置１０は、どの携帯端末２０から構成情報が送信されてきたのかを把握することができる。そして、映像受信装置１０は、その構成情報の関連情報を送信するときには、そのＩＤによって特定される携帯端末２０に送信すればよい。
【０１５５】
なお、視聴者が手元の携帯端末２０の第２表示部２０２で構成情報を選択するとき、携帯端末２０から映像受信装置１０に送信される情報は、選択された構成情報そのものでなくてもかまわない。携帯端末２０から映像受信装置１０に送信される情報は、選択された構成情報を特定するための情報（例えば、構成情報のヘッダー等）であってもよい。
【０１５６】
［１−３．効果等］
以上のように、本実施の形態において、映像受信装置１０は、受信部１０１、第１表示部１０７、抽出部１０２、情報生成部１０３、視聴者数検出部１０５、通信部１０４、および表示制御部１０６を備える。受信部１０１は、映像コンテンツを受信するように構成されている。第１表示部１０７は、受信部１０１で受信された映像コンテンツを表示するように構成されている。抽出部１０２は、その映像コンテンツから部分コンテンツを抽出するように構成されている。情報生成部１０３は、その部分コンテンツから、その部分コンテンツに関連する文字列又は画像を含む構成情報を生成するように構成されている。視聴者数検出部１０５は、所定の範囲内にいる視聴者の人数を検出するように構成されている。通信部１０４は、第２表示部２０２を有する単数または複数の携帯端末２０から携帯端末２０の識別子（ＩＤ）が送信されたときに、そのＩＤを受信するように構成されている。表示制御部１０６は、そのＩＤによって特定される携帯端末２０に、そのＩＤにもとづき選択的に構成情報を送信して第２表示部２０２に構成情報を表示させることが可能であり、視聴者の人数とＩＤの数とにもとづいて、構成情報を第１表示部１０７および第２表示部２０２の少なくとも一方に表示する、ように構成されている。
【０１５７】
これにより、映像受信装置１０は、第１表示部１０７に表示中の映像コンテンツに関する構成情報を、視聴者の人数とＩＤの数とにもとづき、ＩＤによって特定される携帯端末２０の第２表示部２０２に表示したり、第１表示部１０７に表示したりすることができる。したがって、映像受信装置１０は、視聴者の人数とＩＤの数とにもとづいて、構成情報を、適切に視聴者に提示することができる。
【０１５８】
また、映像受信装置１０において、表示制御部１０６は、ＩＤの数が１以上のとき、ＩＤによって特定される携帯端末２０の第２表示部２０２に構成情報を表示する、ように構成されてもよい。
【０１５９】
これにより、映像受信装置１０は、第１表示部１０７に表示中の映像コンテンツに関する構成情報を、ＩＤによって特定される携帯端末２０の第２表示部２０２に表示することができる。したがって、第１表示部１０７に表示中の映像コンテンツを視聴している視聴者は、その映像コンテンツに関する構成情報を、手元の携帯端末２０で確認することができる。
【０１６０】
また、映像受信装置１０において、表示制御部１０６は、視聴者の人数がＩＤの数よりも多いとき、第１表示部１０７に構成情報を表示する、ように構成されてもよい。
【０１６１】
これにより、映像受信装置１０は、第１表示部１０７に表示中の映像コンテンツに関する構成情報を、第１表示部１０７に表示することができる。したがって、携帯端末２０を所持していない視聴者は、第１表示部１０７に表示中の映像コンテンツに関する構成情報を、第１表示部１０７で確認することができる。
【０１６２】
また、映像受信装置１０において、表示制御部１０６は、ＩＤの数が１以上、かつ視聴者の人数がＩＤの数よりも多いとき、第１表示部１０７、およびＩＤによって特定される携帯端末２０の第２表示部２０２のそれぞれに構成情報を表示する、ように構成されてもよい。
【０１６３】
これにより、映像受信装置１０は、第１表示部１０７に表示中の映像コンテンツに関する構成情報を、第１表示部１０７、およびＩＤによって特定される携帯端末２０の第２表示部２０２、のそれぞれに表示することができる。したがって、携帯端末２０を所持している視聴者は、映像コンテンツに関する構成情報を、手元の携帯端末２０で確認することができ、携帯端末２０を所持していない視聴者は、映像コンテンツに関する構成情報を、第１表示部１０７で確認することができる。
【０１６４】
また、映像受信装置１０において、表示制御部１０６は、視聴者の人数とＩＤの数とが互いに等しいとき、第１表示部１０７に構成情報を表示せず、ＩＤによって特定される携帯端末２０の第２表示部２０２に構成情報を表示する、ように構成されてもよい。
【０１６５】
これにより、映像受信装置１０は、第１表示部１０７に表示中の映像コンテンツを視聴している視聴者の全員が、映像受信装置１０と通信中の携帯端末２０を所持しているとき、第１表示部１０７に構成情報を表示せず、ＩＤによって特定される携帯端末２０の第２表示部２０２に構成情報を表示することができる。したがって、視聴者の全員が、映像受信装置１０と通信中の携帯端末２０を所持しているとき、第１表示部１０７に構成情報は表示されないので、第１表示部１０７に表示中の映像コンテンツの視認性が、構成情報によって低下することを防止することができる。
【０１６６】
また、映像受信装置１０において、表示制御部１０６は、ＩＤの数が１以上のときは、ＩＤによって特定される携帯端末２０の第２表示部２０２に構成情報を表示し、視聴者の人数がＩＤの数よりも多いときは、第１表示部１０７に構成情報を表示し、視聴者の人数とＩＤの数とが互いに等しいときは、第１表示部１０７に構成情報を表示せず、ＩＤによって特定される携帯端末２０の第２表示部２０２に構成情報を表示する、ように構成されてもよい。
【０１６７】
これにより、映像受信装置１０は、視聴者の人数とＩＤの数とにもとづいて、構成情報を、適切に視聴者に提示することができる。
【０１６８】
また、映像受信装置１０において、通信部１０４は、ネットワーク１６を介してデータの送受信が可能であり、第２表示部２０２上で選択された構成情報に関連する情報（関連情報）をネットワーク１６を介して取得するように構成されてもよい。また、表示制御部１０６は、通信部１０４が取得した情報（関連情報）を、構成情報の選択が行われた携帯端末２０の第２表示部２０２に表示するように構成されてもよい。
【０１６９】
これにより、映像受信装置１０は、構成情報の選択がなされた携帯端末２０の第２表示部２０２に、その構成情報に関する関連情報を選択的に表示することができる。したがって、第２表示部２０２上で構成情報の選択を行った視聴者は、その第２表示部２０２で、その構成情報に関する関連情報を確認することができる。さらに、第１表示部１０７にその関連情報が表示されて映像コンテンツの視認性が低下したり、携帯端末２０の第２表示部２０２に、他の視聴者が選択した構成情報に関する関連情報（すなわち、携帯端末２０の所持者が所望しない関連情報）が表示される、といったことを防止することができる。
【０１７０】
また、映像受信装置１０において、通信部１０４は、ネットワーク１６を介してデータの送受信が可能であり、第１表示部１０７上で選択された構成情報に関連する情報（関連情報）をネットワーク１６を介して取得する、ように構成され、表示制御部１０６は、通信部１０４が取得した情報（関連情報）を、第１表示部１０７に表示する、ように構成されてもよい。
【０１７１】
これにより、映像受信装置１０は、第１表示部１０７上で選択された構成情報に関する関連情報を第１表示部１０７に表示することができる。したがって、携帯端末２０を所持しない視聴者は、自身が所望する情報（関連情報）を第１表示部１０７で確認することができる。
【０１７２】
また、本実施の形態における情報表示方法は、次のステップを備える。映像コンテンツを受信するステップ。映像コンテンツを第１表示部１０７に表示するステップ。映像コンテンツから部分コンテンツを抽出するステップ。部分コンテンツから、部分コンテンツに関連する文字列又は画像を含む構成情報を生成するステップ。所定の範囲内にいる視聴者の人数を検出するステップ。第２表示部２０２を有する単数または複数の携帯端末２０から携帯端末２０のＩＤが送信されたときに、そのＩＤを受信するステップ。視聴者の人数とＩＤの数とに基づいて、構成情報を、第１表示部１０７、およびＩＤによって特定される携帯端末２０の第２表示部２０２、の少なくとも一方に表示するステップ。
【０１７３】
これにより、映像受信装置１０は、第１表示部１０７に表示中の映像コンテンツに関する構成情報を、視聴者の人数とＩＤの数とにもとづき、ＩＤによって特定される携帯端末２０の第２表示部２０２に表示したり、第１表示部１０７に表示したりすることができる。したがって、映像受信装置１０は、視聴者の人数とＩＤの数とにもとづいて、構成情報を、適切に視聴者に提示することができる。
【０１７４】
また、本実施の形態における映像受信システム１００は、第１表示部１０７を有する映像受信装置１０と、第２表示部２０２を有する単数または複数の携帯端末２０と、を備える。映像受信装置１０は、受信部１０１、第１表示部１０７、抽出部１０２、情報生成部１０３、視聴者数検出部１０５、通信部１０４、および表示制御部１０６を備える。受信部１０１は、映像コンテンツを受信するように構成されている。第１表示部１０７は、受信部１０１で受信された映像コンテンツを表示するように構成されている。抽出部１０２は、その映像コンテンツから部分コンテンツを抽出するように構成されている。情報生成部１０３は、その部分コンテンツから、その部分コンテンツに関連する文字列又は画像を含む構成情報を生成するように構成されている。視聴者数検出部１０５は、所定の範囲内にいる視聴者の人数を検出するように構成されている。通信部１０４は、単数または複数の携帯端末２０から携帯端末２０の識別子（ＩＤ）が送信されたときに、そのＩＤを受信するように構成されている。表示制御部１０６は、そのＩＤによって特定される携帯端末２０に、そのＩＤにもとづき選択的に構成情報を送信して第２表示部２０２に構成情報を表示させることが可能であり、視聴者の人数とＩＤの数とにもとづいて、構成情報を第１表示部１０７および第２表示部２０２の少なくとも一方に表示する、ように構成されている。携帯端末２０は、自身のＩＤを映像受信装置１０に送信し、映像受信装置１０から送信される構成情報を受信して第２表示部２０２に表示する、ように構成されている。
【０１７５】
これにより、映像受信装置１０は、第１表示部１０７に表示中の映像コンテンツに関する構成情報を、視聴者の人数とＩＤの数とにもとづき、ＩＤによって特定される携帯端末２０の第２表示部２０２に表示したり、第１表示部１０７に表示したりすることができる。したがって、映像受信装置１０は、視聴者の人数とＩＤの数とにもとづいて、構成情報を、適切に視聴者に提示することができる。
【０１７６】
（他の実施の形態）
以上のように、本出願において開示する技術の例示として、実施の形態１を説明した。しかしながら、本開示における技術は、これに限定されず、変更、置き換え、付加、省略等を行った実施の形態にも適用できる。また、上記実施の形態１で説明した各構成要素を組み合わせて、新たな実施の形態とすることも可能である。
【０１７７】
そこで、以下、他の実施の形態を例示する。
【０１７８】
例えば、映像受信装置１０は、携帯端末２０を保持する視聴者が２人以上いるとき、表示制御部１０６は、それらの携帯端末２０から個別情報を収集し、収集した個別情報に応じて、第１表示部１０７および第２表示部２０２に構成情報を表示する構成であってもよい。例えば、表示制御部１０６は、携帯端末２０のそれぞれから収集した個別情報に関して互いに共通する構成情報を第１表示部１０７に表示し、共通でない構成情報を、個別情報にもとづき第２表示部２０２に表示する構成であってもよい。
【０１７９】
個別情報に応じて第１表示部１０７および第２表示部２０２に表示する構成情報の一例を図面を用いて説明する。なお、ここでは、個別情報は、携帯端末２０に蓄積された操作履歴（検索履歴）であるものとして、以下の説明を行う。
【０１８０】
図１３Ａは、他の実施の形態において複数の携帯端末２１０、２１１から収集された個別情報にもとづき映像受信装置１０の第１表示部１０７に表示される構成情報の一例を示す図である。
【０１８１】
図１３Ｂは、他の実施の形態において携帯端末２１０から収集された個別情報にもとづき携帯端末２１０の第２表示部１００２に表示される構成情報の一例を示す図である。
【０１８２】
図１３Ｃは、他の実施の形態において携帯端末２１１から収集された個別情報にもとづき携帯端末２１１の第２表示部１１０２に表示される構成情報の一例を示す図である。
【０１８３】
なお、図示はしないが、ここでは、映像受信装置１０と通信中の携帯端末２１０を保持する視聴者と、映像受信装置１０と通信中の携帯端末２１１を保持する視聴者の少なくとも２人が、映像受信装置１０の第１表示部１０７に表示中の映像コンテンツを視聴しているものとする。携帯端末２１０、２１１は携帯端末２０と実質的に等しいものとする。
【０１８４】
個別情報が、例えば、携帯端末２０に蓄積された操作履歴（検索履歴）であれば、表示制御部１０６は、その個別情報から、視聴者の嗜好の傾向を理解することができる。
【０１８５】
例えば、携帯端末２１０から送信されてくる個別情報には、野球に関する操作履歴（検索履歴）、および第１表示部１０７に表示中の野球選手に関する操作履歴（検索履歴）が相対的に多く記録されており、携帯端末２１１から送信されてくる個別情報には、野球に関する操作履歴（検索履歴）は相対的に多く記録されているが、第１表示部１０７に表示中の野球選手に関する操作履歴（検索履歴）は相対的に少なく記録されている（または全く記録されていない）とする。
【０１８６】
この場合、表示制御部１０６は、各個別情報に共通の「野球に関する構成情報」を、携帯端末２１０を所持する視聴者および携帯端末２１１を所持する視聴者の共通の関心事項と判断することができる。したがって、表示制御部１０６は、映像コンテンツから生成された複数の構成情報の中から、野球に関する構成情報を抽出し、抽出した構成情報を、例えば図１３Ａに一例を示すように、第１表示部１０７に表示する。
【０１８７】
ただし、表示制御部１０６は、第１表示部１０７に表示中の野球選手に関する構成情報は、携帯端末２１０を所持する視聴者だけの関心事項と判断し、図１３Ｂに一例を示すように、第１表示部１０７には表示せず、携帯端末２１０の第２表示部１００２に表示する。また、携帯端末２１１に関しては、表示制御部１０６は、携帯端末２１１から送信されてくる個別情報に、他の事項に関する操作履歴（検索履歴）が相対的に多く記録されていれば、その事項に関する構成情報を携帯端末２１１の第２表示部１１０２に表示する。そのような事項が特に無ければ、例えば図１３Ｃに一例を示すように、第１表示部１０７に表示中の構成情報と同じ構成情報を携帯端末２１１の第２表示部１１０２に表示してもよい。
【０１８８】
なお、第２表示部１００２、１１０２は、第２表示部２０２と実質的に等しいものとする。
【０１８９】
例えば、このような動作をするように映像受信装置１０および携帯端末２０を構成してもよい。
【０１９０】
なお、携帯端末２０は、個別情報を、例えば、ＩＤを送信するタイミングでＩＤと共に映像受信装置１０に送信してもよい。あるいは、映像受信装置１０が、各携帯端末２０の操作履歴（検索履歴）を、携帯端末２０の各ＩＤに紐付けして、記憶部（図示せず）に記憶する構成であってもよい。
【０１９１】
なお、個別情報は、操作履歴（検索履歴）に限定されるものではなく、例えば、視聴者の年齢、または性別、または出身地、または所属する組織や団体、または趣味、等であってもよい。また、このような個別情報をあらかじめ携帯端末２０に登録しておき、ＩＤと共に映像受信装置１０に送信する構成であってもよい。あるいは、このような個別情報をＩＤに紐付けしてあらかじめ映像受信装置１０に登録する構成であってもよい。
【０１９２】
実施の形態１では、映像受信装置１０が第１表示部１０７を備える構成を説明したが、映像受信装置は、第１表示部１０７を備えていなくてもかまわない。
【０１９３】
図１４は、他の実施の形態における映像受信装置１１の構成の一例を概略的に示すブロック図である。
【０１９４】
なお、図１４では、図２に示した映像受信装置１０を構成する構成要素と実質的に等しい動作をする構成要素には同じ符号を付与し、説明を省略する。また、図１４には、実施の形態に示す動作に関連する主なブロックを示し、他の動作に関する機能やブロック（例えば、録画機能等）は省略している。
【０１９５】
図１４に示す映像受信装置１１は、第１表示部を備えていない。ただし、映像受信装置１１は、表示制御部１０６が、外部に設置された映像表示装置１２に、有線または無線で映像信号を出力し、映像表示装置１２が有する第１表示部１１７に、映像コンテンツにもとづく映像や構成情報、関連情報等を表示するように構成されている。
【０１９６】
例えば、このような構成の映像受信装置１１であっても、実施の形態１に示した映像受信装置１０と同様の効果を得ることが可能である。
【０１９７】
なお、このような映像受信装置１１の一例として、例えば、ハードディスクレコーダ、ＤＶＤレコーダ、ＢＤレコーダ、等の録画再生装置を挙げることができる。
【０１９８】
なお、本実施の形態では、視聴者数とＩＤ数とが互いに等しいとき、すなわち、視聴者の全員が映像受信装置１０と通信中の携帯端末２０を所持しているとき、表示制御部１０６は、構成情報や関連情報を第１表示部１０７に表示しない、とする動作例を説明したが、表示制御部１０６は、構成情報や関連情報を第１表示部１０７に表示してもよい。
【０１９９】
なお、本実施の形態に示した各構成要素は、それぞれを独立した専用の回路で構成してもよく、あるいは、それらの１つまたは複数の動作を実現するように作成されたプログラムをプロセッサーで実行する構成であってもよい。また、このときのプログラムは、サーバ等からのダウンロードにより取得されてもよく、所定の記録媒体（例えば、ＣＤ−ＲＯＭ等の光ディスクや磁気ディスク、半導体メモリ等）を介して取得されてもよい。
【０２００】
なお、実施の形態に示した具体的な数値は、単に実施の形態における一例を示したものに過ぎず、本開示は何らこれらの数値に限定されるものではない。各数値は映像受信装置の仕様等にあわせて最適な値に設定することが望ましい。
【０２０１】
なお、本実施の形態に示した検索装置１８における検索動作は、単数のサーバで集中処理されてもよく、複数のサーバで分散処理されてもよい。
【産業上の利用可能性】
【０２０２】
本開示は、外部から入力される映像コンテンツに関する構成情報を生成して第１表示部および携帯端末の第２表示部に表示することが可能な映像受信装置に適用可能である。具体的には、テレビジョン受像機、ハードディスクレコーダ、ＤＶＤレコーダ、ＢＤレコーダ、等に本開示は適用可能である。
【符号の説明】
【０２０３】
１０，１１    映像受信装置
１６    ネットワーク
１８    検索装置
１２    映像表示装置
２０，２０５，２０６，２０７，２０８，２０９，２１０，２１１    携帯端末
３０，６０１，７０１，７１１，８０１，８１１，１００１      画像
４０    対応図
１００    映像受信システム
１０１    受信部
１０２    抽出部
１０３    情報生成部
１０４    通信部
１０５    視聴者数検出部
１０６    表示制御部
１０７，１１７    第１表示部
２０２，６０２，８０２，１００２，１１０２    第２表示部
３０１，３０２，３０３，３０４    部分コンテンツ
４０１    オブジェクト画像
４０２，４０３，４０４，４０５    文字列
５０１，５０２，５０３，５０４，５０５，５１１，５１２，５１３，５１４    視聴者
【図１】
2015004840.tif 000003
【図２】
2015004840.tif 000004
【図３】
2015004840.tif 000005
【図４Ａ】
2015004840.tif 000006
【図４Ｂ】
2015004840.tif 000007
【図５】
2015004840.tif 000008
【図６】
2015004840.tif 000009
【図７Ａ】
2015004840.tif 000010
【図７Ｂ】
2015004840.tif 000011
【図８Ａ】
2015004840.tif 000012
【図８Ｂ】
2015004840.tif 000013
【図８Ｃ】
2015004840.tif 000014
【図９Ａ】
2015004840.tif 000015
【図９Ｂ】
2015004840.tif 000016
【図１０Ａ】
2015004840.tif 000017
【図１０Ｂ】
2015004840.tif 000018
【図１１Ａ】
2015004840.tif 000019
【図１１Ｂ】
2015004840.tif 000020
【図１２Ａ】
2015004840.tif 000021
【図１２Ｂ】
2015004840.tif 000022
【図１２Ｃ】
2015004840.tif 000023
【図１２Ｄ】
2015004840.tif 000024
【図１３Ａ】
2015004840.tif 000025
【図１３Ｂ】
2015004840.tif 000026
【図１３Ｃ】
2015004840.tif 000027
【図１４】
2015004840.tif 000028
【手続補正書】
【提出日】平成27年11月17日(2015.11.17)
【手続補正１】
【補正対象書類名】明細書
【補正対象項目名】全文
【補正方法】変更
【補正の内容】
【発明の詳細な説明】
【技術分野】
【０００１】
本開示は、映像に関連する情報を映像とともに表示する映像受信装置に関する。
【背景技術】
【０００２】
特許文献１は、録画された映像の中から所望のシーンを検索して視聴可能な映像再生方法を開示する。この映像再生方法では、映像放送から取得する映像情報に対して文字認識を行うことにより、検索可能なインデックスを作成し、映像用インデックス作成検索システムに蓄積する。視聴者は、インデックスを検索することで、録画された映像の中から所望のシーンを検索することができる。
【先行技術文献】
【特許文献】
【０００３】
【特許文献１】特開２００６−３４０１３６号公報
【発明の概要】
【０００４】
本開示は、映像コンテンツに関する構成情報および関連情報を適切に表示するのに有効な、映像受信装置、情報表示方法、および映像受信システムを提供する。
【０００５】
本開示の映像受信装置は、受信部、第１表示部、抽出部、情報生成部、視聴者数検出部、通信部、および表示制御部を備える。受信部は、映像コンテンツを受信するように構成されている。第１表示部は、受信部で受信された映像コンテンツを表示するように構成されている。抽出部は、その映像コンテンツから部分コンテンツを抽出するように構成されている。情報生成部は、その部分コンテンツから、その部分コンテンツに関連する文字列又は画像を含む構成情報を生成するように構成されている。視聴者数検出部は、所定の範囲内にいる視聴者の人数を検出するように構成されている。通信部は、第２表示部を有する単数または複数の携帯端末から携帯端末の識別子が送信されたときに、その識別子を受信するように構成されている。表示制御部は、その識別子によって特定される携帯端末に、その識別子にもとづき選択的に構成情報を送信して第２表示部に構成情報を表示させることが可能であり、視聴者の人数と識別子の数とにもとづいて、構成情報を第１表示部および第２表示部の少なくとも一方に表示する、ように構成されている。
【図面の簡単な説明】
【０００６】
【図１】図１は、実施の形態１における映像受信システムの構成の一例を概略的に示す図である。
【図２】図２は、実施の形態１における映像受信装置の構成を概略的に示すブロック図である。
【図３】図３は、実施の形態１における映像受信装置の動作を説明するフローチャートである。
【図４Ａ】図４Ａは、実施の形態１における映像受信装置の第１表示部に表示される映像コンテンツの一例を示す図である。
【図４Ｂ】図４Ｂは、実施の形態１における映像受信装置で抽出される部分コンテンツの一例を概略的に示す図である。
【図５】図５は、実施の形態１における映像受信装置で生成される構成情報の一例を概略的に示す図である。
【図６】図６は、実施の形態１における映像受信装置の表示制御部の動作を説明するフローチャートである。
【図７Ａ】図７Ａは、実施の形態１における視聴者数とＩＤ数とが互いに等しいときの状況の一例を概略的に示す図である。
【図７Ｂ】図７Ｂは、実施の形態１における視聴者数とＩＤ数とが互いに等しいときの状況の他の一例を概略的に示す図である。
【図８Ａ】図８Ａは、実施の形態１において視聴者数とＩＤ数とが互いに等しいときに映像受信装置の第１表示部に表示される映像コンテンツの一例を示す図である。
【図８Ｂ】図８Ｂは、実施の形態１において視聴者数とＩＤ数とが互いに等しいときに携帯端末の第２表示部に表示される構成情報の一例を示す図である。
【図８Ｃ】図８Ｃは、実施の形態１において視聴者数とＩＤ数とが互いに等しいときに携帯端末の第２表示部に表示される関連情報の一例を示す図である。
【図９Ａ】図９Ａは、実施の形態１におけるＩＤ数が０のときの状況の一例を概略的に示す図である。
【図９Ｂ】図９Ｂは、実施の形態１におけるＩＤ数が０のときの状況の他の一例を概略的に示す図である。
【図１０Ａ】図１０Ａは、実施の形態１においてＩＤ数が０のときに映像受信装置の第１表示部に表示される構成情報の一例を示す図である。
【図１０Ｂ】図１０Ｂは、実施の形態１においてＩＤ数が０のときに映像受信装置の第１表示部に表示される関連情報の一例を示す図である。
【図１１Ａ】図１１Ａは、実施の形態１における携帯端末を保持している視聴者と携帯端末を保持していない視聴者とが混在しているときの状況の一例を概略的に示す図である。
【図１１Ｂ】図１１Ｂは、実施の形態１における携帯端末を保持している視聴者と携帯端末を保持していない視聴者とが混在しているときの状況の他の一例を概略的に示す図である。
【図１２Ａ】図１２Ａは、実施の形態１において携帯端末を保持している視聴者と携帯端末を保持していない視聴者とが混在しているときに映像受信装置の第１表示部に表示される構成情報の一例を示す図である。
【図１２Ｂ】図１２Ｂは、実施の形態１において携帯端末を保持している視聴者と携帯端末を保持していない視聴者とが混在しているときに映像受信装置の第１表示部に表示される関連情報の一例を示す図である。
【図１２Ｃ】図１２Ｃは、実施の形態１において携帯端末を保持している視聴者と携帯端末を保持していない視聴者とが混在しているときに携帯端末の第２表示部に表示される構成情報の一例を示す図である。
【図１２Ｄ】図１２Ｄは、実施の形態１において携帯端末を保持している視聴者と携帯端末を保持していない視聴者とが混在しているときに携帯端末の第２表示部に表示される関連情報の一例を示す図である。
【図１３Ａ】図１３Ａは、他の実施の形態において複数の携帯端末から収集された個別情報にもとづき映像受信装置の第１表示部に表示される構成情報の一例を示す図である。
【図１３Ｂ】図１３Ｂは、他の実施の形態において携帯端末から収集された個別情報にもとづき携帯端末の第２表示部に表示される構成情報の一例を示す図である。
【図１３Ｃ】図１３Ｃは、他の実施の形態において携帯端末から収集された個別情報にもとづき携帯端末の第２表示部に表示される構成情報の一例を示す図である。
【図１４】図１４は、他の実施の形態における映像受信装置の構成の一例を概略的に示すブロック図である。
【発明を実施するための形態】
【０００７】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００８】
なお、添付図面および以下の説明は、当業者が本開示を十分に理解するために提供されるのであって、これらにより特許請求の範囲に記載の主題を限定することは意図されていない。
【０００９】
（実施の形態１）
以下、図１〜図１４を用いて、実施の形態１を説明する。
【００１０】
［１−１．構成］
図１は、実施の形態１における映像受信システム１００の構成の一例を概略的に示す図である。本実施の形態における映像受信システム１００は、映像受信装置１０と単数または複数の携帯端末２０を有する。図１には１台の携帯端末２０を示しているが、便宜的に１台の携帯端末２０を示しているに過ぎない。図１に示すように、映像受信装置１０および携帯端末２０は、通信回線（以下、「ネットワーク」と記す）１６に接続され、互いにデータの送受信が可能である。
【００１１】
ネットワーク１６は、有線、または無線、あるいはその双方が混在して構成されている。ネットワーク１６は、例えばインターネットであるが、イントラネットや商業回線、あるいはその他の通信回線（メトロネットワーク、企業内ネットワーク、家庭内ネットワーク等）であってもよく、それらが混在していてもよい。
【００１２】
検索装置１８は、ネットワーク１６に接続されたサーバ装置であり、画像検索サービスを提供するＷｅｂサイトである。検索装置１８は、ネットワーク１６を介して送信されてくる画像データを受信すると、その画像データに対応するデータ（氏名、地名、店名、名称、略称、等）を検索し、そのデータを検索結果として返信するように構成されている。この画像検索サービスは公知のものでかまわないので、詳細な説明は省略する。また、検索装置１８は、画像検索に加え、通常の言葉による検索（ワード検索）を行うように構成されていてもよい。また、検索装置１８は、後述する構成情報が映像受信装置１０から送信されてきたときに、その構成情報に関する広告や宣伝等の情報を返信するように構成されていてもよい。
【００１３】
携帯端末２０は、例えばスマートフォンであり、ネットワーク１６を介して映像受信装置１０とデータの送受信ができるように構成されている。なお、携帯端末２０は、例えば携帯電話やタブレット端末等であってもよい。携帯端末２０は、映像を表示する表示部を有し、ネットワーク１６を介して映像受信装置１０とデータの送受信ができ、視聴者が片手または両手で保持して操作することが可能な情報処理装置であればよい。
【００１４】
映像受信装置１０は、例えばテレビジョン受像機であり、放送信号や外部から入力される映像信号にもとづく映像を表示部に表示するように構成されている。映像受信装置１０は、ネットワーク１６を介して携帯端末２０および検索装置１８とデータの送受信ができ、検索装置１８を利用した検索（画像検索およびワード検索）が可能である。
【００１５】
なお、映像受信システム１００においては、携帯端末２０が０台の状態も許容される。携帯端末２０が０台の状態とは、例えば、携帯端末２０がネットワーク１６に１台も接続されていない、または映像受信装置１０と通信を行う携帯端末２０が１台も無い、または映像受信装置１０と携帯端末２０との間で通信が行われていない、といった状態のことである。携帯端末２０が０台のとき、映像受信装置１０は単体で動作する。これらの動作の詳細は後述する。
【００１６】
図２は、実施の形態１における映像受信装置１０の構成を概略的に示すブロック図である。
【００１７】
なお、図２には、本実施の形態に示す動作に関連する主なブロックを示しており、他の動作に関する機能やブロックは省略している。これは、本実施の形態で説明する動作を分かりやすく示すためである。また、図２に示す各ブロックは、それぞれが独立した回路で構成されていてもよく、あるいは、図２に示すブロックの１つまたは複数を実現するように作成されたプログラムをプロセッサーで実行する構成であってもよい。
【００１８】
映像受信装置１０は、受信部１０１、抽出部１０２、情報生成部１０３、通信部１０４、視聴者数検出部１０５、表示制御部１０６、および第１表示部１０７を備える。
【００１９】
受信部１０１は、映像コンテンツを受信し、受信した映像コンテンツを抽出部１０２に出力するように構成されている。映像コンテンツには、放送局が電波や専用ケーブルによって放送するコンテンツ、ＩＰ（Ｉｎｔｅｒｎｅｔ  Ｐｒｏｔｏｃｏｌ）放送等により通信回線を介して配信されるコンテンツ、半導体記憶媒体や光（磁気）記憶媒体等の記録メディアに記録されたコンテンツ、等が含まれる。映像コンテンツは映像（映像信号）で構成されるが、映像コンテンツには、音声（音声信号）やその映像コンテンツ自体に関する情報（メタ情報）が含まれていてもよい。また、受信部１０１には、放送局が送信する放送信号を受信するためのアンテナや受信回路（図示せず）が含まれていてもよく、ＩＰ放送を受信するための通信インタフェース（図示せず）が含まれていてもよい。
【００２０】
抽出部１０２は、受信部１０１から出力される映像コンテンツを受け取ると、その映像コンテンツを解析して部分コンテンツを抽出し、抽出した部分コンテンツを情報生成部１０３に出力するように構成されている。部分コンテンツは、映像コンテンツの一部である。部分コンテンツには、例えば、映像コンテンツに含まれる画像内において人物や物品等の物体（オブジェクト）が表示された領域の画像（オブジェクト画像）、映像コンテンツに含まれる画像内において文字（文字列）が表示された領域の画像（文字領域画像）、映像コンテンツに含まれる音声、映像コンテンツに含まれるメタ情報、等が含まれる。
【００２１】
情報生成部１０３は、抽出部１０２から出力される部分コンテンツを受け取ると、その部分コンテンツから構成情報を生成し、生成した構成情報を表示制御部１０６に出力するように構成されている。構成情報とは、部分コンテンツを示す情報であって、文字（文字列）又は画像を含む情報のことである。
【００２２】
具体的には、部分コンテンツがオブジェクト画像であれば、構成情報は、オブジェクト画像そのもの、または、そのオブジェクト画像に含まれる人物や物品の名前（または略称）、である。部分コンテンツが文字領域画像であれば、構成情報は、その文字領域画像に表示される文字（文字列）である。部分コンテンツが音声であれば、構成情報は、その音声から変換された文字（文字列）である。
【００２３】
部分コンテンツがオブジェクト画像のとき、情報生成部１０３は、画像検索を行う検索装置１８を利用して構成情報を生成することができる。情報生成部１０３は、オブジェクト画像の画像データを、通信部１０４およびネットワーク１６を介して検索装置１８に送信する。検索装置１８は、受信した画像データにもとづき画像検索を行い、その検索結果（名前や略称等）をネットワーク１６を介して映像受信装置１０に返信する。この画像検索は公知の技術でよい。情報生成部１０３は、検索装置１８から返信されてくる検索結果を、ネットワーク１６および通信部１０４を介して受信する。
【００２４】
このように、情報生成部１０３は、検索装置１８と、通信部１０４およびネットワーク１６を介して、オブジェクト画像の画像データおよびその検索結果をやりとりすることで、オブジェクト画像を、そのオブジェクト画像に含まれる人物や物品の名前に変換して、そのオブジェクト画像に対応する構成情報（人物や物品の名前または略称）を生成することができる。
【００２５】
部分コンテンツが文字領域画像のとき、情報生成部１０３は、公知の文字認識技術および公知の形態素解析（Ｍｏｒｐｈｏｌｏｇｉｃａｌ  Ａｎａｌｙｓｉｓ）技術を利用して、構成情報を生成することができる。情報生成部１０３は、例えば、その文字領域画像に含まれる文章を文字認識技術を用いて抽出し、その文章を形態素解析技術を用いて文字（文字列）に分解する。こうして情報生成部１０３は、その文字領域画像に対応する構成情報（文字または文字列）を生成することができる。
【００２６】
部分コンテンツが音声のとき、情報生成部１０３は、公知の音声認識技術および公知の形態素解析技術を利用して、構成情報を生成することができる。情報生成部１０３は、例えば、その音声に含まれる文章を音声認識技術を用いて抽出し、その文章を形態素解析技術を用いて文字（文字列）に分解する。こうして情報生成部１０３は、その音声に対応する構成情報（文字または文字列）を生成することができる。
【００２７】
通信部１０４は、通信用のインターフェースであり、ネットワーク１６を介して携帯端末２０および検索装置１８とデータの送受信ができるように構成されている。また、通信部１０４は、映像受信装置１０の無線操作に用いられるリモートコントロール装置（以下、「リモコン」と記す。図示せず）からの赤外線通信も受信できるように構成されている。
【００２８】
通信部１０４は、情報生成部１０３が検索装置１８と通信する際に使用される。通信部１０４は、情報生成部１０３からオブジェクト画像の画像データが出力されると、その画像データを受け取ってネットワーク１６に送信できる形式のデータに変換し、そのデータをネットワーク１６を介して検索装置１８に送信する。検索装置１８から、そのデータに関する検索結果がネットワーク１６を介して送信されてくると、その検索結果を受信して情報生成部１０３に出力する。
【００２９】
また、通信部１０４は、表示制御部１０６が携帯端末２０と通信する際にも使用される。通信部１０４は、携帯端末２０から識別子（Ｉｄｅｎｔｉｆｉｃａｔｉｏｎ。以下、「ＩＤ」とも記す）が送信されると、そのＩＤを受信して表示制御部１０６に出力する。このＩＤは、携帯端末２０に付与された固有のデータであり、複数の携帯端末２０を互いに区別するためのデータである。通信部１０４は、表示制御部１０６から構成情報が出力されると、その構成情報を受け取って携帯端末２０に送信する。この携帯端末２０は、通信部１０４が事前に受信したＩＤによって特定される携帯端末であり、視聴者が所持（使用）する携帯端末である。携帯端末２０は、この構成情報を受信して第２表示部２０２に表示する。
【００３０】
また、通信部１０４は、表示制御部１０６が検索装置１８および携帯端末２０と通信する際にも使用される。通信部１０４は、携帯端末２０から構成情報が送信されると、その構成情報を受信して表示制御部１０６に出力する。携帯端末２０から送信される構成情報とは、携帯端末２０の第２表示部２０２に表示される複数の構成情報のうちの、視聴者によって選択された構成情報、のことである。通信部１０４は、表示制御部１０６から出力される指示にもとづき、受信したその構成情報をネットワーク１６に送信できる形式のデータに変換し、そのデータをネットワーク１６を介して検索装置１８に送信する。検索装置１８から、そのデータ（構成情報）に関する情報がネットワーク１６を介して送信されてくると、その情報を受信して表示制御部１０６に出力する。
【００３１】
なお、検索装置１８から送信される情報（構成情報に関する情報）とは、例えば、その構成情報に関する検索を検索装置１８が行って取得した検索結果や、その構成情報に関する広告・宣伝、等である。以下、これらの情報を、「関連情報」と記す。通信部１０４は、表示制御部１０６から出力される指示にもとづき、表示制御部１０６から出力される関連情報を受け取って携帯端末２０に送信する。この携帯端末２０は、通信部１０４が事前に受信したＩＤによって特定される携帯端末であり、構成情報の送信元の携帯端末である。携帯端末２０は、この関連情報を受信して第２表示部２０２に表示する。
【００３２】
また、通信部１０４は、表示制御部１０６が検索装置１８およびリモコンと通信する際にも使用される。通信部１０４は、表示制御部１０６から構成情報が出力されると、その構成情報を受け取る。表示制御部１０６から出力される構成情報とは、映像受信装置１０の第１表示部１０７に表示される複数の構成情報のうちの、視聴者によって選択された構成情報、のことである。この選択は、例えば、リモコンによって行われてもよく、あるいは、第１表示部１０７にタッチパネルを付設し、そのタッチパネルに視聴者が触れることで行われてもよい。
【００３３】
通信部１０４は、表示制御部１０６から出力される指示にもとづき、その構成情報をネットワーク１６に送信できる形式のデータに変換し、そのデータをネットワーク１６を介して検索装置１８に送信する。検索装置１８から、そのデータ（構成情報）に関する関連情報がネットワーク１６を介して送信されてくると、その関連情報を受信して表示制御部１０６に出力する。そして、表示制御部１０６は、その関連情報を第１表示部１０７に表示する。
【００３４】
視聴者数検出部１０５は、映像受信装置１０の第１表示部１０７に表示される映像コンテンツを視聴する視聴者の人数を計数して表示制御部１０６に出力するように構成されている。視聴者数検出部１０５は、例えば、デジタルカメラ等に用いられている撮像装置（図示せず）を備え、その撮像装置で映像受信装置１０の周囲を連続的または断続的に撮影し、所定の範囲内にいる人物を、公知の顔検出や人物検出等の技術を用いて検出する。そして、検出した人物を視聴者として計数する。なお、本実施の形態では、映像受信装置１０を一般的なリビングで使用することを想定しており、所定の範囲は、例えば、映像受信装置１０から約５ｍまでの、第１表示部１０７を視聴可能な範囲とする。しかし、本実施の形態は何らこの構成に限定されるものではない。例えば、映像受信装置１０が公共の場所で使用されることを想定し、所定の範囲内で所定時間（例えば、１分間）以上立ち止まっている人を視聴者として検出し、映像受信装置１０の前を通り過ぎる人を視聴者として検出しないように構成してもよい。あるいは、公知の顔検出の技術を利用して、映像受信装置１０に背を向けている人物を視聴者として検出しない構成としてもよい。また、所定の範囲も、何ら上述した数値に限定されるものではなく、第１表示部１０７の大きさに応じて最適に設定することが望ましい。
【００３５】
表示制御部１０６は、視聴者数検出部１０５が計数した視聴者の人数と、通信部１０４が受信した携帯端末２０のＩＤの数（すなわち、映像受信装置１０と通信中の携帯端末２０の台数）とにもとづき、第１表示部１０７および第２表示部２０２を制御するように構成されている。具体的には、表示制御部１０６は、視聴者数検出部１０５が計数した視聴者の人数と、通信部１０４が受信した携帯端末２０のＩＤの数とにもとづき、上述の構成情報を、第１表示部１０７および第２表示部２０２の少なくとも一方に表示する。これらの動作の詳細は後述する。
【００３６】
なお、携帯端末２０は、表示制御部１０６から通信部１０４およびネットワーク１６を介して送信される構成情報や関連情報を携帯端末２０の通信部（図示せず）で受信し、携帯端末２０の表示制御部（図示せず）は、受信された構成情報や関連情報にもとづく画像を第２表示部２０２に表示する、ように構成されている。この動作は、見かけ上は、表示制御部１０６が第２表示部２０２に構成情報や関連情報を表示させている、と見なすことができる。したがって、本実施の形態では、「映像受信装置１０の表示制御部１０６が、構成情報や関連情報を携帯端末２０の第２表示部２０２に表示する」、といった表現を用いることがあるが、この実質的な動作は上述の通りである。
【００３７】
また、表示制御部１０６は、携帯端末２０から送信されてくる構成情報を通信部１０４を介して受信すると、その構成情報を、ネットワーク１６に送信できる形式のデータに変換してネットワーク１６を介して検索装置１８に送信するように、通信部１０４に指示する。携帯端末２０から送信される構成情報とは、上述したように、携帯端末２０の第２表示部２０２に表示される複数の構成情報のうちの、視聴者によって選択された構成情報、のことである。表示制御部１０６は、検索装置１８からそのデータ（構成情報）に関する関連情報がネットワーク１６を介して送信されてくると、その関連情報を通信部１０４を介して受信する。そして、表示制御部１０６は、受信したその関連情報をネットワーク１６を介して携帯端末２０に送信するように、通信部１０４に指示する。この携帯端末２０は、通信部１０４が事前に受信したＩＤによって特定される携帯端末であり、構成情報の送信元の携帯端末である。携帯端末２０は、この関連情報を受信して第２表示部２０２に表示する。
【００３８】
また、表示制御部１０６は、視聴者によって映像受信装置１０の第１表示部１０７に表示される複数の構成情報のうちの１つが選択されると、その選択された構成情報を特定する。この選択は、例えば、リモコンによって行われてもよく、あるいは、第１表示部１０７にタッチパネルを付設し、そのタッチパネルに視聴者が触れることで行われてもよい。そして、表示制御部１０６は、特定した構成情報を通信部１０４に出力し、その構成情報を、ネットワーク１６に送信できる形式のデータに変換してネットワーク１６を介して検索装置１８に送信するように、通信部１０４に指示する。表示制御部１０６は、検索装置１８からそのデータ（構成情報）に関する関連情報がネットワーク１６を介して送信されてくると、その関連情報を通信部１０４を介して受信する。そして、表示制御部１０６は、受信したその関連情報を第１表示部１０７に表示する。
【００３９】
第１表示部１０７は、表示制御部１０６によって制御され、受信部１０１が受信した映像コンテンツや、表示制御部１０６から出力される構成情報および関連情報、等にもとづく映像を表示するように構成されている。第１表示部１０７は、例えばＬＣＤ（Ｌｉｑｕｉｄ  Ｃｒｙｓｔａｌ  Ｄｉｓｐｌａｙ）であるが、本実施の形態は何らこの構成に限定されるものではなく、第１表示部１０７は、ＰＤＰ（Ｐｌａｓｍａ  Ｄｉｓｐｌａｙ  Ｐａｎｅｌ）やＯＬＥＤ（Ｏｒｇａｎｉｃ  Ｅｌｅｃｔｒｏ  Ｌｕｍｉｎｅｓｃｅｎｃｅ  Ｄｉｓｐｌａｙ）等であってもかまわない。また、第１表示部１０７に、視聴者の操作を受け付けるタッチパネルが付設されていてもよい。
【００４０】
携帯端末２０は、受信部（図示せず）、表示制御部（図示せず）、第２表示部２０２を備える。
【００４１】
通信部は、通信用のインターフェースであり、ネットワーク１６を介して映像受信装置１０とデータの送受信ができるように構成されている。
【００４２】
表示制御部は、第２表示部２０２を制御して、第２表示部２０２に画像や文字を表示するように構成されている。
【００４３】
第２表示部２０２は、表示制御部によって制御され、画像や文字を表示するように構成されている。第２表示部２０２は、例えばＬＣＤであるが、ＯＬＥＤ等であってもかまわない。また、第２表示部２０２に、視聴者の操作を受け付けるタッチパネルが付設されていてもよい。
【００４４】
携帯端末２０は、携帯端末２０を保持する視聴者の指示により、自身のＩＤを通信部およびネットワーク１６を介して映像受信装置１０に送信する。映像受信装置１０は、このＩＤを受信して携帯端末２０の存在を認識し、これにより映像受信装置１０と携帯端末２０との間で通信が開始される。
【００４５】
なお、本実施の形態は何らこの構成に限定されるものではない。例えば、携帯端末２０において、映像受信装置１０と通信を行うためのソフトウエアが視聴者の指示により動作を開始したときに、そのソフトウエアの動作の１つとして、携帯端末２０から映像受信装置１０にＩＤを自動で送信する、ように携帯端末２０を構成してもよい。あるいは、映像受信装置１０から携帯端末２０にＩＤ要求信号を送信し、そのＩＤ要求信号に応じて携帯端末２０から映像受信装置１０にＩＤを送信するように映像受信装置１０および携帯端末２０を構成してもよい。
【００４６】
映像受信装置１０から構成情報が送信されると、携帯端末２０は、ネットワーク１６および通信部を介してその構成情報を受信する。そして、表示制御部は、その構成情報を第２表示部２０２に表示する。
【００４７】
第２表示部２０２に表示される複数の構成情報のうちの１つが視聴者によって選択されると、その構成情報は、通信部およびネットワーク１６を介して映像受信装置１０に送信される。この選択は、例えば、携帯端末２０に設けられた操作ボタン（図示せず）によって行われてもよく、あるいは、第２表示部２０２にタッチパネルを付設し、そのタッチパネルに視聴者が触れることで行われてもよい。
【００４８】
携帯端末２０から送信された構成情報に関する関連情報が映像受信装置１０から送信されると、携帯端末２０は、ネットワーク１６および通信部１０４を介してその関連情報を受信する。そして、表示制御部１０６は、その関連情報を第２表示部２０２に表示する。
【００４９】
［１−２．動作］
以上のように構成された映像受信システム１００について、その動作を説明する。
【００５０】
図３は、実施の形態１における映像受信装置１０の動作を説明するフローチャートである。図３のフローチャートには、映像受信装置１０において、映像コンテンツが受信されてから構成情報および関連情報が表示されるまでの動作を概略的に示す。
【００５１】
映像受信装置１０の受信部１０１は、映像コンテンツを受信する（ステップＳ２１）。
【００５２】
映像受信装置１０の抽出部１０２は、受信部１０１が受信した映像コンテンツを解析することで、映像コンテンツから部分コンテンツを抽出する（ステップＳ２２）。
【００５３】
ここで、部分コンテンツの抽出について図４Ａ、図４Ｂを用いて説明する。
【００５４】
図４Ａは、実施の形態１における映像受信装置１０の第１表示部１０７に表示される映像コンテンツの一例を示す図である。
【００５５】
図４Ｂは、実施の形態１における映像受信装置１０で抽出される部分コンテンツの一例を概略的に示す図である。
【００５６】
図４Ａには、一例として、映像コンテンツが野球中継であり、その１場面である１野球選手をクローズアップした画像３０が第１表示部１０７に表示されている例を示す。
【００５７】
図４Ｂには、一例として、図４Ａに示した画像３０から４つの部分コンテンツを抽出する例を示す。図４Ｂに示す４つの部分コンテンツは、この野球選手の顔を抽出したオブジェクト画像の部分コンテンツ３０１、この野球の大会名等を抽出した文字領域画像の部分コンテンツ３０２、この野球選手の名前等を抽出した文字領域画像の部分コンテンツ３０３、この野球選手の特徴等を抽出した文字領域画像の部分コンテンツ３０４、である。なお、画像３０には、これら４つの部分コンテンツが含まれている、と言い換えることもできる。
【００５８】
以下、抽出部１０２が、画像３０からこれらの部分コンテンツを抽出する方法を説明する。
【００５９】
抽出部１０２は、画像３０から、オブジェクト（人物や物品等）を含む部分（オブジェクト画像）、及び文字（文字列）を含む部分（文字領域画像）を部分コンテンツとして抽出する。
【００６０】
ここで、オブジェクトを含む画像とは、オブジェクトと、そのオブジェクトの近傍の画像とを含む画像のことである。文字（文字列）を含む画像とは、文字（文字列）と、その文字（文字列）の近傍の画像とを含む画像のことである。
【００６１】
人物（顔）の画像の抽出には、公知の顔認識技術を用いることができる。顔認識技術は、例えば、画像の中から、目、鼻、囗、輪郭、等の顔の特徴的な部分を検出することで顔を認識する技術である。顔の特徴的な部分は、例えば、公知のテンプレートマッチング等により検出することができる。部分コンテンツ３０１は、例えばこの技術を用いて抽出される。物品の画像の抽出も、同様に、公知のテンプレートマッチング等により行うことができる。
【００６２】
文字（文字列）の抽出には、公知の文字領域検出技術を用いることができる。文字領域検出技術は、例えば、画像を構成する画素の色を２値化する（例えば、しきい値より明るい色を白とし、しきい値より暗い色を黒とする）ことにより、文字（文字列）を含む領域と、それ以外の領域とを分離する技術である。部分コンテンツ３０２、３０３、３０４は、例えばこの技術を用いて抽出される。
【００６３】
このようにして、抽出部１０２は、画像３０に含まれる部分コンテンツ３０１、３０２、３０３、３０４、の４つの部分コンテンツを抽出する。
【００６４】
なお、映像コンテンツが音声やメタ情報を含むとき、抽出部１０２は、その映像コンテンツから音声やメタ情報を部分コンテンツとして抽出することもできる。これらの動作の説明は省略する。
【００６５】
図３に戻ってフローチャートを説明する。
【００６６】
次に、情報生成部１０３は、抽出部１０２で抽出された部分コンテンツから構成情報を生成する（ステップＳ２３）。構成情報は、部分コンテンツを示す情報であって、文字（文字列）又は画像を含む情報である。情報生成部１０３は、構成情報を生成する際、必要に応じて検索装置１８を利用することができる。
【００６７】
以下、構成情報について説明する。
【００６８】
図５は、実施の形態１における映像受信装置１０で生成される構成情報の一例を概略的に示す図である。図５には、図４Ｂに一例を示した４つの部分コンテンツのそれぞれに関する構成情報を、各部分コンテンツに対応させて示した対応図４０を示している。
【００６９】
情報生成部１０３は、抽出部１０２が抽出した部分コンテンツから構成情報を生成する。構成情報は、部分コンテンツを示す情報であって、文字（文字列）または画像を含む情報である。
【００７０】
例えば、情報生成部１０３は、部分コンテンツ３０１から抽出したオブジェクト画像４０１を、部分コンテンツ３０１の構成情報とする。なお、部分コンテンツ３０１とオブジェクト画像４０１とは実質的に等しい。また、情報生成部１０３は、検索装置１８を利用してオブジェクト画像４０１の画像検索を行い、検索装置１８から画像検索結果として取得した文字列４０２（例えば、オブジェクト画像４０１が表す野球選手の名前）を、部分コンテンツ３０１の構成情報に加える。なお、画像検索によって取得される文字列は、複数であってもよい。また、オブジェクト画像４０１と文字列４０２とを統合し、１つの構成情報として扱ってもよい。
【００７１】
次に、情報生成部１０３は、部分コンテンツ３０２から、部分コンテンツ３０２に含まれている文字列４０３（例えば、この野球の大会名等）を抽出し、部分コンテンツ３０２の構成情報とする。
【００７２】
同様に、情報生成部１０３は、部分コンテンツ３０３から、部分コンテンツ３０３に含まれている文字列４０４（例えば、この野球選手の背番号、名前、年齢等）を抽出し、部分コンテンツ３０３の構成情報とする。
【００７３】
同様に、情報生成部１０３は、部分コンテンツ３０４から、部分コンテンツ３０４に含まれている文字列４０５（例えば、この野球選手の特徴等）を抽出し、部分コンテンツ３０４の構成情報とする。
【００７４】
図３に戻ってフローチャートを説明する。
【００７５】
次に、表示制御部１０６は、視聴者数検出部１０５が計数した視聴者の人数と、通信部１０４が受信した携帯端末２０のＩＤの数（すなわち、映像受信装置１０と通信中の携帯端末２０の台数）とにもとづき、第１表示部１０７および第２表示部２０２を制御する（ステップＳ２４）。
【００７６】
ステップＳ２４では、表示制御部１０６は、視聴者の人数とＩＤの数とにもとづき、構成情報（例えば、対応図４０に示した構成情報）を、第１表示部１０７および第２表示部２０２のどちらに表示するのか、または双方に表示するのかを判断する。そして、その判断結果にもとづき、その構成情報を第１表示部１０７および第２表示部２０２の少なくとも一方に表示する。また、表示制御部１０６は、視聴者に選択された構成情報に関連する関連情報を検索装置１８から取得し、取得した関連情報を、その選択がなされた装置の表示部（第１表示部１０７または第２表示部２０２）に表示する。
【００７７】
次に、映像受信装置１０は、動作停止指示の有無を判断する（ステップＳ２５）。ステップＳ２５では、映像受信装置１０は、視聴者に動作停止を指示されたと判断すれば（Ｙｅｓ）、映像受信装置１０の動作を停止する。映像受信装置１０は、動作停止は指示されていないと判断すれば（Ｎｏ）、視聴者に動作停止を指示されるまで、上述した一連の動作を繰り返す。
【００７８】
次に、ステップＳ２４の詳細を説明する。
【００７９】
図６は、実施の形態１における映像受信装置１０の表示制御部１０６の動作を説明するフローチャートである。図６は、ステップＳ２４の詳細を説明するフローチャートであり、図６には、表示制御部１０６が、構成情報または関連情報を、第１表示部１０７および第２表示部２０２の一方または双方に表示するときの動作を示している。
【００８０】
視聴者数検出部１０５は、映像受信装置１０から所定の範囲内にいる人物を、第１表示部１０７に表示中の映像コンテンツを視聴している視聴者と見なし、その人数を計数する。以下、計数された人数を「視聴者数」と記す。視聴者数検出部１０５は、計数した視聴者数を表示制御部１０６に出力する（ステップＳ５１）。
【００８１】
通信部１０４は、単数または複数の携帯端末２０から送信されてきたＩＤを受信して表示制御部１０６に出力する。表示制御部１０６は、このＩＤの数を計数する（ステップＳ５２）。このＩＤの数（以下、「ＩＤ数」と記す）は、映像受信装置１０と通信を行っている携帯端末２０の台数を実質的に表す。
【００８２】
表示制御部１０６は、視聴者数とＩＤ数とが互いに等しいか否かを判断する（ステップＳ５３）。
【００８３】
ステップＳ５３において、視聴者数とＩＤ数とは互いに等しい、と判断されれば（ＹＥＳ）、表示制御部１０６は、ステップＳ２３で生成された構成情報を携帯端末２０の第２表示部２０２に表示する（ステップＳ５４）。なお、この携帯端末２０は、通信部１０４が事前に受信したＩＤによって特定される単数または複数の携帯端末２０である。また、このとき、表示制御部１０６は、ステップＳ２３で生成された構成情報を第１表示部１０７には表示しない。
【００８４】
なお、本実施の形態において、「視聴者数とＩＤ数とは互いに等しい」ということは、「第１表示部１０７に表示中の映像コンテンツを視聴している単数または複数の視聴者の全員が、映像受信装置１０と通信中の携帯端末２０を保持している」ということを実質的に表している。
【００８５】
次に、表示制御部１０６は、携帯端末２０から構成情報が送信されると、その構成情報を通信部１０４を介して受信し、その構成情報に関する関連情報を検索装置１８から取得する。そして、表示制御部１０６は、取得した関連情報を、その構成情報の送信元の携帯端末２０に通信部１０４を介して送信し、その携帯端末２０の第２表示部２０２に表示する（ステップＳ５５）。なお、携帯端末２０から送信される構成情報とは、携帯端末２０の第２表示部２０２に表示される複数の構成情報のうちの、視聴者によって選択された構成情報、のことである。
【００８６】
ステップＳ５４、Ｓ５５の動作の一例を図面を用いて説明する。
【００８７】
図７Ａは、実施の形態１における視聴者数とＩＤ数とが互いに等しいときの状況の一例を概略的に示す図である。
【００８８】
図７Ｂは、実施の形態１における視聴者数とＩＤ数とが互いに等しいときの状況の他の一例を概略的に示す図である。
【００８９】
図７Ａ、７Ｂは、第１表示部１０７に表示中の映像コンテンツを視聴している全ての視聴者が、映像受信装置１０と通信中の携帯端末２０を保持しているときの例を示す図である。
【００９０】
図７Ａに示す例では、１人の視聴者５０１が映像受信装置１０の第１表示部１０７に表示中の映像コンテンツを視聴しており、その視聴者５０１は映像受信装置１０と通信中の携帯端末２０６を保持している。このとき、視聴者数とＩＤ数とはともに１であり互いに等しい。
【００９１】
図７Ｂに示す例では、３人の視聴者５０１、５０２、５０３が第１表示部１０７に表示中の映像コンテンツを視聴しており、視聴者５０１は映像受信装置１０と通信中の携帯端末２０６を保持し、視聴者５０２は映像受信装置１０と通信中の携帯端末２０５を保持し、視聴者５０３は映像受信装置１０と通信中の携帯端末２０７を保持している。このとき、視聴者数とＩＤ数とはともに３であり互いに等しい。
【００９２】
なお、携帯端末２０５、２０６、２０７は、携帯端末２０と実質的に等しいものとする。
【００９３】
図８Ａは、実施の形態１において視聴者数とＩＤ数とが互いに等しいときに映像受信装置１０の第１表示部１０７に表示される映像コンテンツの一例を示す図である。
【００９４】
図８Ｂは、実施の形態１において視聴者数とＩＤ数とが互いに等しいときに携帯端末２０６の第２表示部６０２に表示される構成情報の一例を示す図である。
【００９５】
図８Ｃは、実施の形態１において視聴者数とＩＤ数とが互いに等しいときに携帯端末２０６の第２表示部６０２に表示される関連情報の一例を示す図である。
【００９６】
なお、図８Ａには、一例として、映像コンテンツが野球中継であり、その１場面である１野球選手をクローズアップした画像６０１が第１表示部１０７に表示されている例を示す。なお、画像６０１と、図４Ａに示した画像３０は実質的に等しい。また、以下の説明は、この画像が第１表示部１０７に表示されているものとして行う。
【００９７】
例えば、図７Ａや図７Ｂに一例を示したように、視聴者の全員が、映像受信装置１０と通信中の携帯端末２０を保持していれば、これらの携帯端末２０の第２表示部２０２に構成情報を表示することで、映像受信装置１０は、第１表示部１０７に構成情報を表示せずとも、視聴者の全員に構成情報を提示することができる。
【００９８】
そこで、本実施の形態では、表示制御部１０６は、視聴者数とＩＤ数とが互いに等しいとき、通信部１０４が事前に受信したＩＤによって特定される全ての携帯端末２０（図７Ａに示す例では携帯端末２０６、図７Ｂに示す例では携帯端末２０５、２０６、２０７）の第２表示部２０２のそれぞれに、ステップＳ２３で生成された構成情報を表示する（ステップＳ５４）。図８Ｂには、携帯端末２０６の第２表示部６０２に、ステップＳ２３で生成された構成情報を表示する例を示す。本実施の形態では、図８Ｂに一例として示すような構成情報が、映像受信装置１０と通信中の全ての携帯端末２０の第２表示部２０２に表示される。なお、第２表示部６０２は、第２表示部２０２と実質的に等しいものとする。
【００９９】
このとき、図８Ａに一例を示すように、表示制御部１０６は、ステップＳ２３で生成された構成情報を第１表示部１０７には表示しない。これは、その構成情報を第１表示部１０７に表示しなくても、第１表示部１０７に表示中の映像コンテンツを視聴している視聴者の全員が映像受信装置１０と通信中の携帯端末２０を保持しており、その携帯端末２０を通して全ての視聴者にその構成情報を提示することができるため、である。
【０１００】
したがって、視聴者は、ステップＳ２３で生成された構成情報を手元の携帯端末２０で確認しつつ、第１表示部１０７に表示中の映像コンテンツを、その構成情報によって視認性が損なわれない状態で視聴することができる。
【０１０１】
次に、携帯端末２０を保持している視聴者が、第２表示部２０２に表示中の複数の構成情報のうちの１つを選択すると、その選択された構成情報が携帯端末２０から映像受信装置１０に送信される。
【０１０２】
映像受信装置１０は、携帯端末２０から送信されてくる構成情報を受信し、その構成情報に関する関連情報を検索装置１８から取得する。そして、映像受信装置１０は、取得した関連情報を、その構成情報の送信元である携帯端末２０に送信する。構成情報の送信元である携帯端末２０は、その関連情報を受信して第２表示部２０２に表示する（ステップＳ５５）。
【０１０３】
図８Ｃには、携帯端末２０６を保持している視聴者５０１が、第２表示部６０２に表示中の複数の構成情報のうちの１つを選択し、その選択された構成情報に関する関連情報が、携帯端末２０６の第２表示部６０２に表示される例を示す。本実施の形態では、図８Ｃに一例として示すような関連情報が、その関連情報の元となる構成情報の選択が行われた携帯端末２０の第２表示部２０２に表示される。なお、図８Ｃには、第２表示部６０２の全面に関連情報が表示されている例を示しているが、構成情報と関連情報とを同時に第２表示部２０２に表示してもよい。
【０１０４】
このとき、表示制御部１０６は、この関連情報を第１表示部１０７には表示しない。また、表示制御部１０６は、構成情報の選択が行われた携帯端末２０の第２表示部２０２だけに、その構成情報の関連情報を表示し、他の携帯端末２０の第２表示部２０２にはその関連情報を表示しない。
【０１０５】
したがって、視聴者は、自身が選択した構成情報に関する関連情報を手元の携帯端末２０で確認しつつ、第１表示部１０７に表示中の映像コンテンツを、関連情報によって視認性が損なわれない状態で視聴することができる。また、他の視聴者が選択した構成情報の関連情報は、自身の手元の携帯端末２０の第２表示部２０２には表示されないので、自身の所望しない関連情報が第２表示部２０２に表示される、といったことを防止できる。これにより、例えば、自身の所望しない関連情報によって第２表示部２０２に表示される構成情報の表示量が低減されることも防止できる。
【０１０６】
なお、携帯端末２０は、構成情報を映像受信装置１０に送信するとき、自身のＩＤを併せて送信してもよい。これにより、映像受信装置１０は、どの携帯端末２０から構成情報が送信されてきたのかを把握することができる。そして、映像受信装置１０は、その構成情報の関連情報を送信するときには、そのＩＤによって特定される携帯端末２０に送信すればよい。
【０１０７】
なお、視聴者が構成情報を選択するとき、携帯端末２０から映像受信装置１０に送信される情報は、選択された構成情報そのものでなくてもかまわない。携帯端末２０から映像受信装置１０に送信される情報は、選択された構成情報を特定するための情報（例えば、構成情報のヘッダー等）であってもよい。
【０１０８】
図６に戻ってフローチャートを説明する。
【０１０９】
ステップＳ５３において、視聴者数とＩＤ数とは互いに異なる、と判断されれば（ＮＯ）、表示制御部１０６は、ＩＤ数が０か否（すなわち１以上の整数）かを判断する（ステップＳ５６）。
【０１１０】
なお、本実施の形態において、「ＩＤ数は０である」ということは、「第１表示部１０７に表示中の映像コンテンツを視聴している全ての視聴者が携帯端末２０を所持していないか、または携帯端末２０を所持している視聴者がいたとしてもその携帯端末２０は映像受信装置１０と通信していない」ということを実質的に表している。
【０１１１】
ステップＳ５６において、ＩＤ数は０である、と判断されれば（ＹＥＳ）、表示制御部１０６は、ステップＳ２３で生成された構成情報を映像受信装置１０の第１表示部１０７に表示する（ステップＳ５７）。
【０１１２】
第１表示部１０７に表示された複数の構成情報のうちの１つが視聴者によって選択されると、表示制御部１０６は、その選択された構成情報に関する関連情報を検索装置１８から取得して第１表示部１０７に表示する（ステップＳ５８）。
【０１１３】
ステップＳ５７、Ｓ５８の動作の一例を図面を用いて説明する。
【０１１４】
図９Ａは、実施の形態１におけるＩＤ数が０のときの状況の一例を概略的に示す図である。
【０１１５】
図９Ｂは、実施の形態１におけるＩＤ数が０のときの状況の他の一例を概略的に示す図である。
【０１１６】
図９Ａ、９Ｂは、第１表示部１０７に表示中の映像コンテンツを視聴している全ての視聴者が、携帯端末２０を所持していないときの例を示す図である。
【０１１７】
図９Ａに示す例では、１人の視聴者５１１が映像受信装置１０に表示されている映像コンテンツを視聴しており、その視聴者５１１は携帯端末２０を所持していない。なお、視聴者５１１が映像受信装置１０と通信していない携帯端末２０を所持していれば（図示せず）、その状況は図９Ａに示す状況に実質的に等しい。
【０１１８】
図９Ｂに示す例では、３人の視聴者５１１、５１２、５１３が映像受信装置１０に表示されている映像コンテンツを視聴しており、視聴者５１１、５１２、５１３の全員が携帯端末２０を所持していない。なお、視聴者５１１、５１２、５１３の一部または全員が映像受信装置１０と通信していない携帯端末２０を所持していれば（図示せず）、その状況は図９Ｂに示す状況に実質的に等しい。
【０１１９】
図１０Ａは、実施の形態１においてＩＤ数が０のときに映像受信装置１０の第１表示部１０７に表示される構成情報の一例を示す図である。
【０１２０】
図１０Ｂは、実施の形態１においてＩＤ数が０のときに映像受信装置１０の第１表示部１０７に表示される関連情報の一例を示す図である。
【０１２１】
例えば、図９Ａや図９Ｂに一例を示すように、視聴者の全員が、携帯端末２０を所持していなければ、表示制御部１０６は、ステップＳ２３で生成された構成情報をその視聴者に提示するために、図１０Ａに一例を示すように、その構成情報を提示するための画像７０１を第１表示部１０７に表示する（ステップＳ５７）。
【０１２２】
次に、第１表示部１０７に表示中の映像コンテンツを視聴している視聴者が、第１表示部１０７に表示中の複数の構成情報のうちの１つを選択すると、表示制御部１０６は、その選択された構成情報に関する関連情報を検索装置１８から取得する。そして、その選択を行った視聴者にその関連情報を提示するために、表示制御部１０６は、図１０Ｂに一例を示すように、取得した関連情報を提示するための画像７１１を第１表示部１０７に表示中の画像７０１内に表示する（ステップＳ５８）。
【０１２３】
図６に戻ってフローチャートを説明する。
【０１２４】
ステップＳ５６において、ＩＤ数は０ではない（すわなち、ＩＤ数は１以上である）、と判断されれば（ＮＯ）、表示制御部１０６は、ステップＳ２３で生成された構成情報を携帯端末２０の第２表示部２０２に表示する。なお、この携帯端末２０は、通信部１０４が事前に受信したＩＤによって特定される単数または複数の携帯端末２０である。併せて、表示制御部１０６は、その構成情報を映像受信装置１０の第１表示部１０７にも表示する（ステップＳ５９）。
【０１２５】
なお、本実施の形態では、ステップＳ５６で「ＩＤ数は０ではない」と判断されるのは、「第１表示部１０７に表示中の映像コンテンツを視聴している視聴者は２人以上であり、映像受信装置１０と通信中の携帯端末２０を保持している視聴者と、携帯端末２０を保持していない（または映像受信装置１０と通信していない携帯端末２０を所持している）視聴者とが混在している」という状況のときである。したがって、携帯端末２０を保持していない視聴者に、ステップＳ２３で生成された構成情報を提示するために、ステップＳ５９では、表示制御部１０６は、その構成情報を映像受信装置１０の第１表示部１０７にも表示する。
【０１２６】
なお、本実施の形態では、視聴者数がＩＤ数未満となる状況は想定していない。仮に、視聴者数がＩＤ数未満となる状況が発生したときには、表示制御部１０６は、視聴者数検出部１０５が視聴者数を正確に検出できていない、と判断して、視聴者数がＩＤ数に等しくなるように、または、視聴者数がＩＤ数よりも大きくなるように、視聴者数を補正する。このとき、どのように視聴者数を補正するかは、映像受信装置１０の仕様等に応じて適切に設定すればよい。
【０１２７】
次に、視聴者によって構成情報の選択がなされると、表示制御部１０６は、その選択が、携帯端末２０の第２表示部２０２で行われたのか、映像受信装置１０の第１表示部１０７で行われたのかを判断する（ステップＳ６０）。
【０１２８】
第１表示部１０７に表示された複数の構成情報のうちの１つが視聴者によって選択されたときは、表示制御部１０６は、ステップＳ６０において、構成情報の選択は映像受信装置１０の第１表示部１０７で行われたと判断する（ＮＯ）。表示制御部１０６は、その選択された構成情報に関する関連情報を検索装置１８から取得して第１表示部１０７に表示する（ステップＳ６１）。
【０１２９】
なお、第１表示部１０７に表示された複数の構成情報から１つの構成情報を視聴者が選択するときには、例えば、視聴者によるリモコン操作や、あるいは、第１表示部１０７にタッチパネルが付設されていれば、そのタッチパネルに視聴者が触れる、といった操作が行われる。したがって、表示制御部１０６は、それらの操作を検出することで、構成情報の選択は映像受信装置１０の第１表示部１０７で行われた、と判断することができる。
【０１３０】
携帯端末２０から構成情報が送信されたときは、表示制御部１０６は、その構成情報を通信部１０４を介して受信する。これにより表示制御部１０６は、ステップＳ６０において、構成情報の選択は携帯端末２０の第２表示部２０２で行われたと判断する（ＹＥＳ）。携帯端末２０から送信される構成情報とは、携帯端末２０の第２表示部２０２に表示される複数の構成情報のうちの、視聴者によって選択された構成情報、のことである。
【０１３１】
なお、本実施の形態は何らこの構成に限定されない。例えば、携帯端末２０が、視聴者に選択された構成情報とともに自身のＩＤを送信するように構成されていれば、表示制御部１０６は、そのＩＤを検出することで、構成情報の選択は携帯端末２０の第２表示部２０２で行われた、と判断するように動作してもよい。
【０１３２】
表示制御部１０６は、その構成情報に関する関連情報を検索装置１８から取得する。そして、取得した関連情報を、その構成情報の送信元の携帯端末２０に通信部１０４を介して送信し、その構成情報を、その携帯端末２０の第２表示部２０２に表示する（ステップＳ６２）。
【０１３３】
ステップＳ５９、Ｓ６１、Ｓ６２の動作の一例を図面を用いて説明する。
【０１３４】
図１１Ａは、実施の形態１における携帯端末２０を保持している視聴者と携帯端末２０を保持していない視聴者とが混在しているときの状況の一例を概略的に示す図である。
【０１３５】
図１１Ｂは、実施の形態１における携帯端末２０を保持している視聴者と携帯端末２０を保持していない視聴者とが混在しているときの状況の他の一例を概略的に示す図である。
【０１３６】
図１１Ａに示す例では、２人の視聴者５０４、５１４が映像受信装置１０の第１表示部１０７に表示中の映像コンテンツを視聴しており、一方の視聴者５０４は映像受信装置１０と通信中の携帯端末２０８を保持しているが、他方の視聴者５１４は携帯端末２０を保持していない（または、視聴者５１４は映像受信装置１０と通信していない携帯端末２０を所持している）。
【０１３７】
図１１Ｂに示す例では、３人の視聴者５０４、５０５、５１４が第１表示部１０７に表示中の映像コンテンツを視聴しており、視聴者５０４は映像受信装置１０と通信中の携帯端末２０８を保持し、視聴者５０５は映像受信装置１０と通信中の携帯端末２０９を保持しているが、視聴者５１４は携帯端末２０を保持していない（または、視聴者５１４は、映像受信装置１０と通信していない携帯端末２０を所持している）。
【０１３８】
なお、携帯端末２０８、２０９は携帯端末２０と実質的に等しいものとする。
【０１３９】
図１２Ａは、実施の形態１において携帯端末２０を保持している視聴者と携帯端末２０を保持していない視聴者とが混在しているときに映像受信装置１０の第１表示部１０７に表示される構成情報の一例を示す図である。
【０１４０】
図１２Ｂは、実施の形態１において携帯端末２０を保持している視聴者と携帯端末２０を保持していない視聴者とが混在しているときに映像受信装置１０の第１表示部１０７に表示される関連情報の一例を示す図である。
【０１４１】
例えば、図１１Ａや図１１Ｂに一例を示したように、複数の視聴者の一部が、携帯端末２０を保持していなければ、表示制御部１０６は、ステップＳ２３で生成された構成情報をその視聴者に提示するために、図１２Ａに一例を示すように、その構成情報を提示するための画像８０１を第１表示部１０７に表示する（ステップＳ５９）。
【０１４２】
次に、第１表示部１０７に表示中の映像コンテンツを視聴している視聴者（例えば、視聴者５１４）が、第１表示部１０７に表示中の複数の構成情報のうちの１つを選択すると、表示制御部１０６は、その選択された構成情報に関する関連情報を検索装置１８から取得する。そして、その選択を行った視聴者（例えば、視聴者５１４）にその関連情報を提示するために、表示制御部１０６は、図１２Ｂに一例を示すように、取得した関連情報を提示するための画像８１１を第１表示部１０７に表示中の画像８０１内に表示する（ステップＳ６１）。
【０１４３】
このとき、表示制御部１０６は、第１表示部１０７に表示する関連情報を第２表示部２０２には表示しない。
【０１４４】
図１２Ｃは、実施の形態１において携帯端末２０を保持している視聴者と携帯端末２０を保持していない視聴者とが混在しているときに携帯端末２０８の第２表示部８０２に表示される構成情報の一例を示す図である。
【０１４５】
図１２Ｄは、実施の形態１において携帯端末２０を保持している視聴者と携帯端末２０を保持していない視聴者とが混在しているときに携帯端末２０８の第２表示部８０２に表示される関連情報の一例を示す図である。
【０１４６】
例えば、図１１Ａや図１１Ｂに一例を示したように、複数の視聴者の一部が、映像受信装置１０と通信中の携帯端末２０を保持していれば、これらの携帯端末２０の第２表示部２０２に構成情報を表示することで、その視聴者に構成情報を提示することができる。このとき、図１２Ｂに一例を示した第１表示部１０７に表示される関連情報を、第２表示部２０２には表示しないように表示制御部１０６が動作することで、その携帯端末２０を保持している視聴者には、自身が所望しない関連情報が第２表示部２０２に表示されることを防止することができる。これにより、例えば、自身の所望しない関連情報によって第２表示部２０２に表示される構成情報の表示量が低減されることも防止できる。
【０１４７】
このように、本実施の形態では、表示制御部１０６は、携帯端末２０を保持している視聴者と携帯端末２０を保持していない視聴者とが混在しているとき、通信部１０４が事前に受信したＩＤによって特定される全ての携帯端末２０（図１１Ａに示す例では携帯端末２０８、図１１Ｂに示す例では携帯端末２０８、２０９）の第２表示部２０２のそれぞれに、ステップＳ２３で生成された構成情報を表示する（ステップＳ５９）。ただし、表示制御部１０６は、ステップＳ６１で第１表示部１０７に表示する関連情報を、第２表示部２０２には表示しない。
【０１４８】
図１２Ｃには、携帯端末２０８の第２表示部８０２に、ステップＳ２３で生成された構成情報を表示する例を示す。本実施の形態では、図１２Ｃに一例として示すような構成情報が、映像受信装置１０と通信中の全ての携帯端末２０の第２表示部２０２に表示される。なお、第２表示部８０２は、第２表示部２０２と実質的に等しいものとする。
【０１４９】
次に、携帯端末２０を保持している視聴者が、第２表示部２０２に表示中の複数の構成情報のうちの１つを選択すると、その選択された構成情報が携帯端末２０から映像受信装置１０に送信される。
【０１５０】
映像受信装置１０は、携帯端末２０から送信されてくる構成情報を受信し、その構成情報に関する関連情報を検索装置１８から取得する。そして、映像受信装置１０は、取得した関連情報を、その構成情報の送信元である携帯端末２０に送信する。構成情報の送信元である携帯端末２０は、その関連情報を受信して第２表示部２０２に表示する（ステップＳ６２）。
【０１５１】
図１２Ｄには、携帯端末２０８を保持している視聴者５０４が、第２表示部８０２に表示中の複数の構成情報のうちの１つを選択し、その選択された構成情報に関する関連情報が、携帯端末２０８の第２表示部８０２に表示される例を示す。本実施の形態では、図１２Ｄに一例として示すような関連情報が、その関連情報の元となる構成情報の選択が行われた携帯端末２０の第２表示部２０２に表示される。なお、図１２Ｄには、第２表示部８０２の全面に関連情報が表示されている例を示しているが、構成情報と関連情報とを同時に第２表示部２０２に表示してもよい。
【０１５２】
このとき、表示制御部１０６は、この関連情報を第１表示部１０７には表示しない。また、表示制御部１０６は、構成情報の選択が行われた携帯端末２０の第２表示部２０２だけにその構成情報の関連情報を表示し、他の携帯端末２０の第２表示部２０２にはその関連情報を表示しない。
【０１５３】
したがって、携帯端末２０を保持する視聴者は、自身が選択した構成情報に関する関連情報を手元の携帯端末２０で確認することができ、また、他の視聴者に関しては、自身が所望しない関連情報が第１表示部１０７または第２表示部２０２に表示されることを防止することができる。これにより、他の視聴者に関しては、例えば、第１表示部１０７または第２表示部２０２に表示される構成情報の表示量が、自身の所望しない関連情報により低減されることも防止できる。
【０１５４】
なお、携帯端末２０は、構成情報を映像受信装置１０に送信するとき、自身のＩＤを併せて送信してもよい。これにより、映像受信装置１０は、どの携帯端末２０から構成情報が送信されてきたのかを把握することができる。そして、映像受信装置１０は、その構成情報の関連情報を送信するときには、そのＩＤによって特定される携帯端末２０に送信すればよい。
【０１５５】
なお、視聴者が手元の携帯端末２０の第２表示部２０２で構成情報を選択するとき、携帯端末２０から映像受信装置１０に送信される情報は、選択された構成情報そのものでなくてもかまわない。携帯端末２０から映像受信装置１０に送信される情報は、選択された構成情報を特定するための情報（例えば、構成情報のヘッダー等）であってもよい。
【０１５６】
［１−３．効果等］
以上のように、本実施の形態において、映像受信装置１０は、受信部１０１、第１表示部１０７、抽出部１０２、情報生成部１０３、視聴者数検出部１０５、通信部１０４、および表示制御部１０６を備える。受信部１０１は、映像コンテンツを受信するように構成されている。第１表示部１０７は、受信部１０１で受信された映像コンテンツを表示するように構成されている。抽出部１０２は、その映像コンテンツから部分コンテンツを抽出するように構成されている。情報生成部１０３は、その部分コンテンツから、その部分コンテンツに関連する文字列又は画像を含む構成情報を生成するように構成されている。視聴者数検出部１０５は、所定の範囲内にいる視聴者の人数を検出するように構成されている。通信部１０４は、第２表示部２０２を有する単数または複数の携帯端末２０から携帯端末２０の識別子（ＩＤ）が送信されたときに、そのＩＤを受信するように構成されている。表示制御部１０６は、そのＩＤによって特定される携帯端末２０に、そのＩＤにもとづき選択的に構成情報を送信して第２表示部２０２に構成情報を表示させることが可能であり、視聴者の人数とＩＤの数とにもとづいて、構成情報を第１表示部１０７および第２表示部２０２の少なくとも一方に表示する、ように構成されている。
【０１５７】
これにより、映像受信装置１０は、第１表示部１０７に表示中の映像コンテンツに関する構成情報を、視聴者の人数とＩＤの数とにもとづき、ＩＤによって特定される携帯端末２０の第２表示部２０２に表示したり、第１表示部１０７に表示したりすることができる。したがって、映像受信装置１０は、視聴者の人数とＩＤの数とにもとづいて、構成情報を、適切に視聴者に提示することができる。
【０１５８】
また、映像受信装置１０において、表示制御部１０６は、ＩＤの数が１以上のとき、ＩＤによって特定される携帯端末２０の第２表示部２０２に構成情報を表示する、ように構成されてもよい。
【０１５９】
これにより、映像受信装置１０は、第１表示部１０７に表示中の映像コンテンツに関する構成情報を、ＩＤによって特定される携帯端末２０の第２表示部２０２に表示することができる。したがって、第１表示部１０７に表示中の映像コンテンツを視聴している視聴者は、その映像コンテンツに関する構成情報を、手元の携帯端末２０で確認することができる。
【０１６０】
また、映像受信装置１０において、表示制御部１０６は、視聴者の人数がＩＤの数よりも多いとき、第１表示部１０７に構成情報を表示する、ように構成されてもよい。
【０１６１】
これにより、映像受信装置１０は、第１表示部１０７に表示中の映像コンテンツに関する構成情報を、第１表示部１０７に表示することができる。したがって、携帯端末２０を所持していない視聴者は、第１表示部１０７に表示中の映像コンテンツに関する構成情報を、第１表示部１０７で確認することができる。
【０１６２】
また、映像受信装置１０において、表示制御部１０６は、ＩＤの数が１以上、かつ視聴者の人数がＩＤの数よりも多いとき、第１表示部１０７、およびＩＤによって特定される携帯端末２０の第２表示部２０２のそれぞれに構成情報を表示する、ように構成されてもよい。
【０１６３】
これにより、映像受信装置１０は、第１表示部１０７に表示中の映像コンテンツに関する構成情報を、第１表示部１０７、およびＩＤによって特定される携帯端末２０の第２表示部２０２、のそれぞれに表示することができる。したがって、携帯端末２０を所持している視聴者は、映像コンテンツに関する構成情報を、手元の携帯端末２０で確認することができ、携帯端末２０を所持していない視聴者は、映像コンテンツに関する構成情報を、第１表示部１０７で確認することができる。
【０１６４】
また、映像受信装置１０において、表示制御部１０６は、視聴者の人数とＩＤの数とが互いに等しいとき、第１表示部１０７に構成情報を表示せず、ＩＤによって特定される携帯端末２０の第２表示部２０２に構成情報を表示する、ように構成されてもよい。
【０１６５】
これにより、映像受信装置１０は、第１表示部１０７に表示中の映像コンテンツを視聴している視聴者の全員が、映像受信装置１０と通信中の携帯端末２０を所持しているとき、第１表示部１０７に構成情報を表示せず、ＩＤによって特定される携帯端末２０の第２表示部２０２に構成情報を表示することができる。したがって、視聴者の全員が、映像受信装置１０と通信中の携帯端末２０を所持しているとき、第１表示部１０７に構成情報は表示されないので、第１表示部１０７に表示中の映像コンテンツの視認性が、構成情報によって低下することを防止することができる。
【０１６６】
また、映像受信装置１０において、表示制御部１０６は、ＩＤの数が１以上のときは、ＩＤによって特定される携帯端末２０の第２表示部２０２に構成情報を表示し、視聴者の人数がＩＤの数よりも多いときは、第１表示部１０７に構成情報を表示し、視聴者の人数とＩＤの数とが互いに等しいときは、第１表示部１０７に構成情報を表示せず、ＩＤによって特定される携帯端末２０の第２表示部２０２に構成情報を表示する、ように構成されてもよい。
【０１６７】
これにより、映像受信装置１０は、視聴者の人数とＩＤの数とにもとづいて、構成情報を、適切に視聴者に提示することができる。
【０１６８】
また、映像受信装置１０において、通信部１０４は、ネットワーク１６を介してデータの送受信が可能であり、第２表示部２０２上で選択された構成情報に関連する情報（関連情報）をネットワーク１６を介して取得するように構成されてもよい。また、表示制御部１０６は、通信部１０４が取得した情報（関連情報）を、構成情報の選択が行われた携帯端末２０の第２表示部２０２に表示するように構成されてもよい。
【０１６９】
これにより、映像受信装置１０は、構成情報の選択がなされた携帯端末２０の第２表示部２０２に、その構成情報に関する関連情報を選択的に表示することができる。したがって、第２表示部２０２上で構成情報の選択を行った視聴者は、その第２表示部２０２で、その構成情報に関する関連情報を確認することができる。さらに、第１表示部１０７にその関連情報が表示されて映像コンテンツの視認性が低下したり、携帯端末２０の第２表示部２０２に、他の視聴者が選択した構成情報に関する関連情報（すなわち、携帯端末２０の所持者が所望しない関連情報）が表示される、といったことを防止することができる。
【０１７０】
また、映像受信装置１０において、通信部１０４は、ネットワーク１６を介してデータの送受信が可能であり、第１表示部１０７上で選択された構成情報に関連する情報（関連情報）をネットワーク１６を介して取得する、ように構成され、表示制御部１０６は、通信部１０４が取得した情報（関連情報）を、第１表示部１０７に表示する、ように構成されてもよい。
【０１７１】
これにより、映像受信装置１０は、第１表示部１０７上で選択された構成情報に関する関連情報を第１表示部１０７に表示することができる。したがって、携帯端末２０を所持しない視聴者は、自身が所望する情報（関連情報）を第１表示部１０７で確認することができる。
【０１７２】
また、本実施の形態における情報表示方法は、次のステップを備える。映像コンテンツを受信するステップ。映像コンテンツを第１表示部１０７に表示するステップ。映像コンテンツから部分コンテンツを抽出するステップ。部分コンテンツから、部分コンテンツに関連する文字列又は画像を含む構成情報を生成するステップ。所定の範囲内にいる視聴者の人数を検出するステップ。第２表示部２０２を有する単数または複数の携帯端末２０から携帯端末２０のＩＤが送信されたときに、そのＩＤを受信するステップ。視聴者の人数とＩＤの数とに基づいて、構成情報を、第１表示部１０７、およびＩＤによって特定される携帯端末２０の第２表示部２０２、の少なくとも一方に表示するステップ。
【０１７３】
これにより、映像受信装置１０は、第１表示部１０７に表示中の映像コンテンツに関する構成情報を、視聴者の人数とＩＤの数とにもとづき、ＩＤによって特定される携帯端末２０の第２表示部２０２に表示したり、第１表示部１０７に表示したりすることができる。したがって、映像受信装置１０は、視聴者の人数とＩＤの数とにもとづいて、構成情報を、適切に視聴者に提示することができる。
【０１７４】
また、本実施の形態における映像受信システム１００は、第１表示部１０７を有する映像受信装置１０と、第２表示部２０２を有する単数または複数の携帯端末２０と、を備える。映像受信装置１０は、受信部１０１、第１表示部１０７、抽出部１０２、情報生成部１０３、視聴者数検出部１０５、通信部１０４、および表示制御部１０６を備える。受信部１０１は、映像コンテンツを受信するように構成されている。第１表示部１０７は、受信部１０１で受信された映像コンテンツを表示するように構成されている。抽出部１０２は、その映像コンテンツから部分コンテンツを抽出するように構成されている。情報生成部１０３は、その部分コンテンツから、その部分コンテンツに関連する文字列又は画像を含む構成情報を生成するように構成されている。視聴者数検出部１０５は、所定の範囲内にいる視聴者の人数を検出するように構成されている。通信部１０４は、単数または複数の携帯端末２０から携帯端末２０の識別子（ＩＤ）が送信されたときに、そのＩＤを受信するように構成されている。表示制御部１０６は、そのＩＤによって特定される携帯端末２０に、そのＩＤにもとづき選択的に構成情報を送信して第２表示部２０２に構成情報を表示させることが可能であり、視聴者の人数とＩＤの数とにもとづいて、構成情報を第１表示部１０７および第２表示部２０２の少なくとも一方に表示する、ように構成されている。携帯端末２０は、自身のＩＤを映像受信装置１０に送信し、映像受信装置１０から送信される構成情報を受信して第２表示部２０２に表示する、ように構成されている。
【０１７５】
これにより、映像受信装置１０は、第１表示部１０７に表示中の映像コンテンツに関する構成情報を、視聴者の人数とＩＤの数とにもとづき、ＩＤによって特定される携帯端末２０の第２表示部２０２に表示したり、第１表示部１０７に表示したりすることができる。したがって、映像受信装置１０は、視聴者の人数とＩＤの数とにもとづいて、構成情報を、適切に視聴者に提示することができる。
【０１７６】
（他の実施の形態）
以上のように、本出願において開示する技術の例示として、実施の形態１を説明した。しかしながら、本開示における技術は、これに限定されず、変更、置き換え、付加、省略等を行った実施の形態にも適用できる。また、上記実施の形態１で説明した各構成要素を組み合わせて、新たな実施の形態とすることも可能である。
【０１７７】
そこで、以下、他の実施の形態を例示する。
【０１７８】
例えば、映像受信装置１０は、携帯端末２０を保持する視聴者が２人以上いるとき、表示制御部１０６は、それらの携帯端末２０から個別情報を収集し、収集した個別情報に応じて、第１表示部１０７および第２表示部２０２に構成情報を表示する構成であってもよい。例えば、表示制御部１０６は、携帯端末２０のそれぞれから収集した個別情報に関して互いに共通する構成情報を第１表示部１０７に表示し、共通でない構成情報を、個別情報にもとづき第２表示部２０２に表示する構成であってもよい。
【０１７９】
個別情報に応じて第１表示部１０７および第２表示部２０２に表示する構成情報の一例を図面を用いて説明する。なお、ここでは、個別情報は、携帯端末２０に蓄積された操作履歴（検索履歴）であるものとして、以下の説明を行う。
【０１８０】
図１３Ａは、他の実施の形態において複数の携帯端末２１０、２１１から収集された個別情報にもとづき映像受信装置１０の第１表示部１０７に表示される構成情報の一例を示す図である。
【０１８１】
図１３Ｂは、他の実施の形態において携帯端末２１０から収集された個別情報にもとづき携帯端末２１０の第２表示部１００２に表示される構成情報の一例を示す図である。
【０１８２】
図１３Ｃは、他の実施の形態において携帯端末２１１から収集された個別情報にもとづき携帯端末２１１の第２表示部１１０２に表示される構成情報の一例を示す図である。
【０１８３】
なお、図示はしないが、ここでは、映像受信装置１０と通信中の携帯端末２１０を保持する視聴者と、映像受信装置１０と通信中の携帯端末２１１を保持する視聴者の少なくとも２人が、映像受信装置１０の第１表示部１０７に表示中の映像コンテンツを視聴しているものとする。携帯端末２１０、２１１は携帯端末２０と実質的に等しいものとする。
【０１８４】
個別情報が、例えば、携帯端末２０に蓄積された操作履歴（検索履歴）であれば、表示制御部１０６は、その個別情報から、視聴者の嗜好の傾向を理解することができる。
【０１８５】
例えば、携帯端末２１０から送信されてくる個別情報には、野球に関する操作履歴（検索履歴）、および第１表示部１０７に表示中の野球選手に関する操作履歴（検索履歴）が相対的に多く記録されており、携帯端末２１１から送信されてくる個別情報には、野球に関する操作履歴（検索履歴）は相対的に多く記録されているが、第１表示部１０７に表示中の野球選手に関する操作履歴（検索履歴）は相対的に少なく記録されている（または全く記録されていない）とする。
【０１８６】
この場合、表示制御部１０６は、各個別情報に共通の「野球に関する構成情報」を、携帯端末２１０を所持する視聴者および携帯端末２１１を所持する視聴者の共通の関心事項と判断することができる。したがって、表示制御部１０６は、映像コンテンツから生成された複数の構成情報の中から、野球に関する構成情報を抽出し、抽出した構成情報を、例えば図１３Ａに一例を示すように、第１表示部１０７に表示する。
【０１８７】
ただし、表示制御部１０６は、第１表示部１０７に表示中の野球選手に関する構成情報は、携帯端末２１０を所持する視聴者だけの関心事項と判断し、図１３Ｂに一例を示すように、第１表示部１０７には表示せず、携帯端末２１０の第２表示部１００２に表示する。また、携帯端末２１１に関しては、表示制御部１０６は、携帯端末２１１から送信されてくる個別情報に、他の事項に関する操作履歴（検索履歴）が相対的に多く記録されていれば、その事項に関する構成情報を携帯端末２１１の第２表示部１１０２に表示する。そのような事項が特に無ければ、例えば図１３Ｃに一例を示すように、第１表示部１０７に表示中の構成情報と同じ構成情報を携帯端末２１１の第２表示部１１０２に表示してもよい。
【０１８８】
なお、第２表示部１００２、１１０２は、第２表示部２０２と実質的に等しいものとする。
【０１８９】
例えば、このような動作をするように映像受信装置１０および携帯端末２０を構成してもよい。
【０１９０】
なお、携帯端末２０は、個別情報を、例えば、ＩＤを送信するタイミングでＩＤと共に映像受信装置１０に送信してもよい。あるいは、映像受信装置１０が、各携帯端末２０の操作履歴（検索履歴）を、携帯端末２０の各ＩＤに紐付けして、記憶部（図示せず）に記憶する構成であってもよい。
【０１９１】
なお、個別情報は、操作履歴（検索履歴）に限定されるものではなく、例えば、視聴者の年齢、または性別、または出身地、または所属する組織や団体、または趣味、等であってもよい。また、このような個別情報をあらかじめ携帯端末２０に登録しておき、ＩＤと共に映像受信装置１０に送信する構成であってもよい。あるいは、このような個別情報をＩＤに紐付けしてあらかじめ映像受信装置１０に登録する構成であってもよい。
【０１９２】
実施の形態１では、映像受信装置１０が第１表示部１０７を備える構成を説明したが、映像受信装置は、第１表示部１０７を備えていなくてもかまわない。
【０１９３】
図１４は、他の実施の形態における映像受信装置１１の構成の一例を概略的に示すブロック図である。
【０１９４】
なお、図１４では、図２に示した映像受信装置１０を構成する構成要素と実質的に等しい動作をする構成要素には同じ符号を付与し、説明を省略する。また、図１４には、実施の形態に示す動作に関連する主なブロックを示し、他の動作に関する機能やブロック（例えば、録画機能等）は省略している。
【０１９５】
図１４に示す映像受信装置１１は、第１表示部を備えていない。ただし、映像受信装置１１は、表示制御部１０６が、外部に設置された映像表示装置１２に、有線または無線で映像信号を出力し、映像表示装置１２が有する第１表示部１１７に、映像コンテンツにもとづく映像や構成情報、関連情報等を表示するように構成されている。
【０１９６】
例えば、このような構成の映像受信装置１１であっても、実施の形態１に示した映像受信装置１０と同様の効果を得ることが可能である。
【０１９７】
なお、このような映像受信装置１１の一例として、例えば、ハードディスクレコーダ、ＤＶＤレコーダ、ＢＤレコーダ、等の録画再生装置を挙げることができる。
【０１９８】
なお、本実施の形態では、視聴者数とＩＤ数とが互いに等しいとき、すなわち、視聴者の全員が映像受信装置１０と通信中の携帯端末２０を所持しているとき、表示制御部１０６は、構成情報や関連情報を第１表示部１０７に表示しない、とする動作例を説明したが、表示制御部１０６は、構成情報や関連情報を第１表示部１０７に表示してもよい。
【０１９９】
なお、本実施の形態に示した各構成要素は、それぞれを独立した専用の回路で構成してもよく、あるいは、それらの１つまたは複数の動作を実現するように作成されたプログラムをプロセッサーで実行する構成であってもよい。また、このときのプログラムは、サーバ等からのダウンロードにより取得されてもよく、所定の記録媒体（例えば、ＣＤ−ＲＯＭ等の光ディスクや磁気ディスク、半導体メモリ等）を介して取得されてもよい。
【０２００】
なお、実施の形態に示した具体的な数値は、単に実施の形態における一例を示したものに過ぎず、本開示は何らこれらの数値に限定されるものではない。各数値は映像受信装置の仕様等にあわせて最適な値に設定することが望ましい。
【０２０１】
なお、本実施の形態に示した検索装置１８における検索動作は、単数のサーバで集中処理されてもよく、複数のサーバで分散処理されてもよい。
【産業上の利用可能性】
【０２０２】
本開示は、外部から入力される映像コンテンツに関する構成情報を生成して第１表示部および携帯端末の第２表示部に表示することが可能な映像受信装置に適用可能である。具体的には、テレビジョン受像機、ハードディスクレコーダ、ＤＶＤレコーダ、ＢＤレコーダ、等に本開示は適用可能である。
【符号の説明】
【０２０３】
１０，１１    映像受信装置
１６    ネットワーク
１８    検索装置
１２    映像表示装置
２０，２０５，２０６，２０７，２０８，２０９，２１０，２１１    携帯端末
３０，６０１，７０１，７１１，８０１，８１１，１００１    画像
４０    対応図
１００    映像受信システム
１０１    受信部
１０２    抽出部
１０３    情報生成部
１０４    通信部
１０５    視聴者数検出部
１０６    表示制御部
１０７，１１７    第１表示部
２０２，６０２，８０２，１００２，１１０２    第２表示部
３０１，３０２，３０３，３０４    部分コンテンツ
４０１    オブジェクト画像
４０２，４０３，４０４，４０５    文字列
５０１，５０２，５０３，５０４，５０５，５１１，５１２，５１３，５１４    視聴者
【手続補正２】
【補正対象書類名】特許請求の範囲
【補正対象項目名】全文
【補正方法】変更
【補正の内容】
【特許請求の範囲】
【請求項１】
映像コンテンツを受信するように構成された受信部と、
前記映像コンテンツを表示するように構成された第１表示部と、
前記映像コンテンツから部分コンテンツを抽出するように構成された抽出部と、
前記部分コンテンツから、前記部分コンテンツに関連する文字列又は画像を含む構成情報を生成するように構成された情報生成部と、
所定の範囲内にいる視聴者の人数を検出するように構成された視聴者数検出部と、
第２表示部を有する単数または複数の携帯端末から前記携帯端末の識別子が送信されたときに、前記識別子を受信するように構成された通信部と、
前記識別子によって特定される前記携帯端末に前記識別子に基づき選択的に前記構成情報を送信して前記第２表示部に前記構成情報を表示させることが可能であり、前記視聴者の人数と前記識別子の数とに基づいて、前記構成情報を前記第１表示部および前記第２表示部の少なくとも一方に表示する、ように構成された表示制御部と、
を備える映像受信装置。
【請求項２】
前記表示制御部は、
前記識別子の数が１以上のときは、前記識別子によって特定される前記携帯端末の前記第２表示部に前記構成情報を表示する、ように構成された、
請求項１に記載の映像受信装置。
【請求項３】
前記表示制御部は、
前記視聴者の人数が前記識別子の数よりも多いときは、前記第１表示部に前記構成情報を表示する、ように構成された
請求項１に記載の映像受信装置。
【請求項４】
前記表示制御部は、
前記識別子の数が１以上、かつ前記視聴者の人数が前記識別子の数よりも多いときは、前記第１表示部、および前記識別子によって特定される前記携帯端末の前記第２表示部のそれぞれに前記構成情報を表示する、ように構成された
請求項１に記載の映像受信装置。
【請求項５】
前記表示制御部は、
前記視聴者の人数と前記識別子の数とが互いに等しいときは、前記第１表示部に前記構成情報を表示せず、前記識別子によって特定される前記携帯端末の前記第２表示部に前記構成情報を表示する、ように構成された
請求項１に記載の映像受信装置。
【請求項６】
前記表示制御部は、
前記識別子の数が１以上のときは、前記識別子によって特定される前記携帯端末の前記第２表示部に前記構成情報を表示し、
前記視聴者の人数が前記識別子の数よりも多いときは、前記第１表示部に前記構成情報を表示し、
前記視聴者の人数と前記識別子の数とが互いに等しいときは、前記第１表示部に前記構成情報を表示せず、前記識別子によって特定される前記携帯端末の前記第２表示部に前記構成情報を表示する、ように構成された
請求項１に記載の映像受信装置。
【請求項７】
前記通信部は、
通信回線を介してデータの送受信が可能であり、前記第２表示部上で選択された前記構成情報に関連する情報を前記通信回線を介して取得する、ように構成され、
前記表示制御部は、
前記通信部が取得した前記情報を、前記選択が行われた前記携帯端末の前記第２表示部に表示する、ように構成された
請求項２に記載の映像受信装置。
【請求項８】
前記通信部は、
通信回線を介してデータの送受信が可能であり、前記第１表示部上で選択された前記構成情報に関連する情報を前記通信回線を介して取得する、ように構成され、
前記表示制御部は、
前記通信部が取得した前記情報を前記第１表示部に表示する、ように構成された
請求項３に記載の映像受信装置。
【請求項９】
前記表示制御部は、
前記識別子の数が１以上のとき、前記識別子によって特定される前記携帯端末のそれぞれから個別情報を取得し、前記個別情報にもとづき前記構成情報を１以上選択し、前記選択した前記構成情報を、前記個別情報の取得元である前記携帯端末の前記第２表示部に表示する、ように構成された
請求項２に記載の映像受信装置。
【請求項１０】
前記表示制御部は、
前記識別子の数が２以上のとき、前記識別子によって特定される前記携帯端末のそれぞれから個別情報を取得し、前記個別情報にもとづき前記構成情報を１以上選択し、前記選択された構成情報から互いに共通する前記構成情報を特定し、前記特定された構成情報を前記第１表示部に表示する、ように構成された
請求項２に記載の映像受信装置。
【請求項１１】
第１表示部を有する映像受信装置における情報表示方法において、
映像コンテンツを受信するステップと、
前記映像コンテンツを前記第１表示部に表示するステップと、
前記映像コンテンツから部分コンテンツを抽出するステップと、
前記部分コンテンツから、前記部分コンテンツに関連する文字列又は画像を含む構成情報を生成するステップと、
所定の範囲内にいる視聴者の人数を検出するステップと、
第２表示部を有する単数または複数の携帯端末から前記携帯端末の識別子が送信されたときに、前記識別子を受信するステップと、
前記視聴者の人数と前記識別子の数とに基づいて、前記構成情報を、前記第１表示部、および前記識別子によって特定される前記携帯端末の前記第２表示部、の少なくとも一方に表示するステップと、
を備える情報表示方法。
【請求項１２】
映像コンテンツを表示するように構成された第１表示部を有する映像受信装置と、第２表示部を有する単数または複数の携帯端末と、を備えた映像受信システムであって、
前記映像受信装置は、
前記映像コンテンツを受信するように構成された受信部と、
前記映像コンテンツから部分コンテンツを抽出するように構成された抽出部と、
前記部分コンテンツから、前記部分コンテンツに関連する文字列又は画像を含む構成情報を生成するように構成された情報生成部と、
所定の範囲内にいる視聴者の人数を検出するように構成された視聴者数検出部と、
前記携帯端末から前記携帯端末の識別子が送信されたときに、前記識別子を受信するように構成された通信部と、
前記識別子によって特定される前記携帯端末に前記識別子に基づき選択的に前記構成情報を送信して前記第２表示部に前記構成情報を表示させることが可能であり、前記視聴者の人数と前記識別子の数とに基づいて、前記構成情報を前記第１表示部および前記第２表示部の少なくとも一方に表示する、ように構成された表示制御部と、を備え、
前記携帯端末は、
前記識別子を前記映像受信装置に送信し、前記映像受信装置から送信される前記構成情報を受信して前記第２表示部に表示する、ように構成された、
映像受信システム。
【手続補正３】
【補正対象書類名】図面
【補正対象項目名】全図
【補正方法】変更
【補正の内容】
【図１】
2015004840.tif 000029
【図２】
2015004840.tif 000030
【図３】
2015004840.tif 000031
【図４Ａ】
2015004840.tif 000032
【図４Ｂ】
2015004840.tif 000033
【図５】
2015004840.tif 000034
【図６】
2015004840.tif 000035
【図７Ａ】
2015004840.tif 000036
【図７Ｂ】
2015004840.tif 000037
【図８Ａ】
2015004840.tif 000038
【図８Ｂ】
2015004840.tif 000039
【図８Ｃ】
2015004840.tif 000040
【図９Ａ】
2015004840.tif 000041
【図９Ｂ】
2015004840.tif 000042
【図１０Ａ】
2015004840.tif 000043
【図１０Ｂ】
2015004840.tif 000044
【図１１Ａ】
2015004840.tif 000045
【図１１Ｂ】
2015004840.tif 000046
【図１２Ａ】
2015004840.tif 000047
【図１２Ｂ】
2015004840.tif 000048
【図１２Ｃ】
2015004840.tif 000049
【図１２Ｄ】
2015004840.tif 000050
【図１３Ａ】
2015004840.tif 000051
【図１３Ｂ】
2015004840.tif 000052
【図１３Ｃ】
2015004840.tif 000053
【図１４】
2015004840.tif 000054
【国際調査報告】
2015004840.tif 000055
2015004840.tif 000056
2015004840.tif 000057
2015004840.tif 000058